(57)【要約】  アンライセンスキャリアの処理方法及び装置であって、ステーションが空きチャネル評価（ＣＣＡ）及び／又は拡張空きチャネル評価（ｅＣＣＡ）を実行することと、該ステーションがアンライセンスキャリアを所定の粒状度で占用する、及び／又は、アンライセンスキャリアを宣言された時間長で占用することと、を含む。本発明の実施例によると、アンライセンスキャリアの占用を実現する。
2018516010.tif 000002
【特許請求の範囲】
【請求項１】
ステーションが空きチャネル評価ＣＣＡ及び／又は拡張空きチャネル評価ｅＣＣＡを実行することと、
前記ステーションがアンライセンスキャリアを所定の粒状度で占用する、及び／又は、アンライセンスキャリアを宣言された時間長で占用することと、
を含むアンライセンスキャリアの処理方法。
【請求項２】
前記ステーションが前記アンライセンスキャリアを所定の粒状度で占用することは、
前記ステーションが、サブフレームを粒状度として前記アンライセンスキャリアを占用することと、
前記ステーションが、長期的進化ＬＴＥのタイムスロットと、１つ又は複数の直交周波数分割多重化ＯＦＤＭシンボルとのうち少なくとも一方を含むスケジューリング単位を粒状度として前記アンライセンスキャリアを占用することと、のうち少なくとも一方を含む
請求項１に記載の方法。
【請求項３】
前記ステーションがアンライセンスキャリアを占用する場合、
前記ステーションが、占用されるべき前記アンライセンスキャリアの時間長を決定することをさらに含む
請求項１に記載の方法。
【請求項４】
前記ステーションが、占用されるべき前記アンライセンスキャリアの時間長を決定することは、
前記アンライセンスキャリアの時間長内のサブフレームのうち最後のサブフレームが完全でないサブフレームである場合、前記ステーションが、前記アンライセンスキャリアの時間長内の最後のサブフレームを削除するか使用しないと決定することと、
前記アンライセンスキャリアの時間長内における最初のサブフレームは完全でないサブフレームであることができ、それ以外のサブフレームはいずれも完全なサブフレームであることと、
前記アンライセンスキャリアの時間長内のスケジューリング単位のうち最後のサブフレームが完全でないスケジューリング単位である場合、前記ステーションが、前記アンライセンスキャリアの時間長内の最後のスケジューリング単位を削除するか使用しないと決定することと、
前記アンライセンスキャリアの時間長内における最初のスケジューリング単位は完全でないスケジューリング単位であることができ、それ以外のサブフレームはいずれも完全なスケジューリング単位であることと、のうち少なくとも一方を含む
請求項３に記載の方法。
【請求項５】
前記ステーションが、占用されるべき前記アンライセンスキャリアの時間長を決定することは、
前記アンライセンスキャリアの時間長内のサブフレームのうち最後のサブフレームが完全でないサブフレームである場合、前記最後のサブフレームの全時間長が前記アンライセンスキャリアの時間長内に含まれており、且つ前記アンライセンスキャリアの時間長が、規制又はプロトコルで規定された最大時間長を超えていなければ、前記ステーションが、最後のサブフレームの全時間長を含むすべてのサブフレームの時間長を占用し使用すると決定することと、
前記アンライセンスキャリアの時間長内のスケジューリング単位のうち最後のスケジューリング単位が完全でないスケジューリング単位である場合、最後のスケジューリング単位の全時間長が前記時間長内に含まれており、且つ前記アンライセンスキャリアの時間長が、規制又はプロトコルで規定された最大時間長を超えていなければ、前記ステーションが、最後のスケジューリング単位の全時間長を含むすべてのスケジューリング単位の時間長を占用し使用すると決定することと、のうち少なくとも一方を含む
請求項３に記載の方法。
【請求項６】
前記宣言された時間長が、時間量、一定の時間の長さ、予め設定された時間の長さのうち少なくとも一方である場合、前記宣言された時間長は、
前記宣言された時間長の最初のサブフレーム又は最初のスケジューリング単位の実際の占用時間長を除いた残余の占用時間長を、サブフレームの時間長又はスケジューリング単位の時間長で割って商が得られ、得られた商を切り下げるか切り上げることで得た実際の占用時間長が対応するサブフレーム又はスケジューリング単位、を含む
請求項１に記載の方法。
【請求項７】
前記ステーションが前記アンライセンスキャリアを占用する場合、前記ステーションは、前記アンライセンスキャリアについて優先的な使用権を有することと、
前記ステーションが前記アンライセンスキャリアを占用する場合、前記ステーションは、他のステーションが前記アンライセンスキャリアを使用することを許可することができ、前記他のステーションが前記アンライセンスキャリアを使用する必要がある場合、前記他のステーションは、前記ステーションが前記アンライセンスキャリアを占用する時間長内に、ＣＣＡ及び／又はｅＣＣＡを実行することで、前記アンライセンスキャリアの使用権を取得することと、
前記他のステーションが前記ステーションによる占用時間長内に実行するＣＣＡ及び／又はｅＣＣＡは、前記ステーションが当該アンライセンスキャリアを先取的に占有するＣＣＡ及び／又はｅＣＣＡよりも先取占有確率が高い高優先度のＣＣＡ及び／又はｅＣＣＡであることと、のうち少なくとも一方をさらに含む
請求項１に記載の方法。
【請求項８】
前記アンライセンスキャリアを占有する時間長の時間長パラメータは、
前記ステーションがＣＣＡ及び／又はｅＣＣＡを実行することに成功したサブフレームから連続する占用されるサブフレームと、その中、前記ＣＣＡ及び／又はｅＣＣＡの実行に成功したサブフレームは、前記アンライセンスキャリアの時間長に含まれるか含まれず、
前記ステーションがＣＣＡ及び／又はｅＣＣＡを実行することに成功したスケジューリング単位から連続する占用されるスケジューリング単位と、その中、前記ＣＣＡ及び／又はｅＣＣＡの実行に成功したスケジューリング単位は、前記アンライセンスキャリアの時間長に含まれるか含まれない、
前記ステーションが決定した、ＣＣＡ及び／又はｅＣＣＡの実行に成功したＯＦＤＭシンボルから占用されるＯＦＤＭシンボルと、
前記ステーションが決定した、現在サブフレームに対して残存する占用されるべきサブフレームと、
前記ステーションが決定した、現在スケジューリング単位に対して残存する占用されるべきスケジューリング単位と、
前記ステーションが決定した、現在ＯＦＤＭシンボルに対して残存する占用されるべきＯＦＤＭシンボルと、
前記ステーションが決定した、現在サブフレームに対してその後のアンライセンスキャリアを占用する時間長内の最後のサブフレームのサブフレーム番号と、
前記ステーションが決定した、現在スケジューリング単位に対してその後のアンライセンスキャリアを占用する時間長内の最後のスケジューリング単位の番号と、のうち少なくとも一方を含む  
請求項３に記載の方法。
【請求項９】
前記時間長パラメータは、前記ステーションがＣＣＡ及び／又はｅＣＣＡを実行することに成功したサブフレームから連続する占用されるサブフレームを含む場合、前記時間長パラメータは、前記連続する占用されるサブフレームのうち最後のサブフレームにおける占用されるＯＦＤＭシンボルをさらに含むことと、
前記時間長パラメータは、前記ステーションがＣＣＡ及び／又はｅＣＣＡを実行することに成功したスケジューリング単位から連続する占用されるスケジューリング単位を含む場合、前記時間長パラメータは、前記連続する占用されるスケジューリング単位のうち最後のスケジューリング単位における占用されるＯＦＤＭシンボルをさらに含むことと、
前記時間長パラメータは、前記ステーションが決定した、現在サブフレームに対して残存する占用されるべきサブフレームを含む場合、前記時間長パラメータは、前記残存する占用されるべきサブフレームのうち最後のサブフレームにおける占用されるＯＦＤＭシンボルをさらに含むことと、
前記時間長パラメータは、前記ステーションが決定した、現在スケジューリング単位に対して残存する占用されるべきスケジューリング単位を含む場合、前記時間長パラメータは、前記残存する占用されるべきスケジューリング単位のうち最後のスケジューリング単位における占用されるＯＦＤＭシンボルをさらに含むことと、
前記時間長パラメータは、前記ステーションが決定した、現在サブフレームに対してその後のアンライセンスキャリアを占用する時間長内の最後のサブフレームのサブフレーム番号を含む場合、前記時間長パラメータは、前記最後のサブフレームにおける占用されるＯＦＤＭシンボルをさらに含むことと、
前記時間長パラメータは、前記ステーションが決定した、現在スケジューリング単位に対してその後のアンライセンスキャリアを占用する時間長内の最後のスケジューリング単位の番号を含む場合、前記時間長パラメータは、前記最後のスケジューリング単位における占用されるＯＦＤＭシンボルをさらに含むことと、のうち少なくとも一方をさらに含む
請求項８に記載の方法。
【請求項１０】
前記ステーションがＣＣＡ及び／又はｅＣＣＡを実行することは、前記ステーションが、前記ＣＣＡ及び／又はｅＣＣＡを実行されるサブフレームにおける先頭からの所定数のＯＦＤＭシンボルにおいて前記ＣＣＡ及び／又はｅＣＣＡを実行すること、を含む
請求項１に記載の方法。
【請求項１１】
前記ステーションが、前記アンライセンスキャリアの時間長内の最後のサブフレームを削除するか使用しないと決定する、及び／又は、前記ステーションが、前記アンライセンスキャリアの時間長内の最後のスケジューリング単位を削除するか使用しないと決定する場合、前記ＣＣＡ及び／又はｅＣＣＡを実行することは、
前記ステーション又は前記他のステーションが、前記最後のサブフレーム及び／又は最後のスケジューリング単位において前記ＣＣＡ及び／又はｅＣＣＡを実行すること、及び／又は、
前記ステーションから許可を得たステーションが、前記最後のサブフレーム及び／又は最後のスケジューリング単位において前記ＣＣＡ及び／又はｅＣＣＡを実行すること、を含む
請求項４に記載の方法。
【請求項１２】
前記ステーションが、前記アンライセンスキャリアの時間長内の最後のサブフレームを削除するか使用しないと決定する、及び／又は、前記ステーションが、前記アンライセンスキャリアの時間長内の最後のスケジューリング単位を削除するか使用しないと決定する場合、
前記ステーションが、前記最後のサブフレーム及び／又は最後のスケジューリング単位を用いたデータ送信を行わないこと、をさらに含む
請求項４に記載の方法。
【請求項１３】
前記ＣＣＡ及び／又はｅＣＣＡの実行に成功したサブフレーム及び／又はスケジューリング単位が、前記時間長に含まれる場合、
前記ＣＣＡ及び／又はｅＣＣＡの実行に成功したサブフレーム及び／又はスケジューリング単位全体を１つのサブフレーム又はスケジューリング単位として、前記アンライセンスキャリアの時間長内の算定対象とすること、及び／又は、
前記ＣＣＡ及び／又はｅＣＣＡの実行に成功したサブフレーム及び／又はスケジューリング単位のうち、前記ＣＣＡ及び／又はｅＣＣＡを実行するタイミングから当該サブフレーム又はスケジューリング単位が終了するまでのサブフレーム又はスケジューリング単位を、前記アンライセンスキャリアの時間長内の算定対象とすること、をさらに含む
請求項８に記載の方法。
【請求項１４】
前記アンライセンスキャリアの時間長の終了タイミングは、所定のサブフレーム及び／又はスケジューリング単位の終了境界タイミングである
請求項３に記載の方法。
【請求項１５】
前記ステーションは、前記アンライセンスキャリアを占用する時に、他のステーションが前記ステーションとの間で周波数分割多重化、時分割多重化、空間分割多重化、符号分割多重化のうち少なくとも一方を含む多重化方式で前記アンライセンスキャリア上のリソースを使用することを許可し、或いは、前記ステーションは、前記他のステーションが単独で前記アンライセンスキャリア上のリソースを使用することを許可し、前記他のステーションが前記多重化方式で前記アンライセンスキャリア上のリソースを使用する場合、前記他のステーションは、まず最初にＣＣＡ及び／又はｅＣＣＡを実行する必要があり、前記ＣＣＡ及び／又はｅＣＣＡを実行することに成功してから、リソースの多重化を行うこと、をさらに含み、
前記他のステーションが前記ＣＣＡ及び／又はｅＣＣＡを実行することは、前記他のステーションが、約束した周波数リソースパターンに従って前記ＣＣＡ及び／又はｅＣＣＡを実行することを含み、前記約束した周波数リソースパターンは、約束した物理リソースブロックＰＲＢ、約束したリソース単位ＲＥ、約束したサブキャリアのうち少なくとも一方を含む
請求項１に記載の方法。
【請求項１６】
前記実際の占用時間長が対応するサブフレーム又はスケジューリング単位を取得することは、
得られた前記商を切り上げた後、実際の占用時間長が、規制又はプロトコルで規定された最大時間長を超えていなければ、前記ステーションが前記宣言された時間長を切り上げることにより決定することと、
得られた前記商を切り上げた後、実際の占用時間長が、規制又はプロトコルで規定された最大時間長を超えていれば、前記ステーションが前記宣言された時間長を切り下げることにより決定することと、のうち少なくとも一方を含む
請求項６に記載の方法。
【請求項１７】
前記時間量は、前記ステーションが、前記アンライセンスキャリアを占用する時間長を記述するシグナリングに含ませた、前記アンライセンスキャリアの時間長の数値を含み、前記数値は、時間単位を次元とする時間量である
請求項６に記載の方法。
【請求項１８】
前記一定の時間の長さは、プロトコル及び／又は規制で規定された、前記ステーションがアンライセンスキャリアを占用するたびの宣言された時間長を含む
請求項６に記載の方法。
【請求項１９】
前記予め設定された時間の長さは、準静的に設定された時間の長さ及び／又は動的に設定された時間の長さを含む
請求項６に記載の方法。
【請求項２０】
前記他のステーションが取得した前記アンライセンスキャリアの使用権は、前記ステーションが前記アンライセンスキャリアを占用する時間長内に有効であり、
前記ステーションが前記アンライセンスキャリアを占用する時間長内に有効であることは、
前記ステーションが前記アンライセンスキャリアを占用する時間長内における１つ又は複数のサブフレームにて有効であること、又は、前記ステーションが前記アンライセンスキャリアを占用する時間長内における１つ又は複数のスケジューリング単位にて有効であることを含む
請求項７に記載の方法。
【請求項２１】
前記ステーションが前記アンライセンスキャリアを占用し、且つ前記ステーションが使用しないサブフレーム及び／又はスケジューリング単位は、前記他のステーションに使用される場合、前記ステーションが前記サブフレーム及び／又はスケジューリング単位を再使用する必要があれば、前記ステーションは、前記ＣＣＡ及び／又はｅＣＣＡを実行する必要がなく、直接前記サブフレーム及び／又はスケジューリング単位を使用すること、をさらに含む
請求項７に記載の方法。
【請求項２２】
前記ステーションがアンライセンスキャリアを所定の粒状度で占用する、及び／又は、前記アンライセンスキャリアを宣言された時間長で占用した後、
前記ステーションが、前記アンライセンスキャリアを占用する時間長を含む占用時間長シグナリングにより他のステーションに報知すること、をさらに含む
請求項１に記載の方法。
【請求項２３】
前記ステーションが前記占用時間長シグナリングを前記他のステーションに報知することは、
前記ステーションが、前記ＣＣＡ及び／又はｅＣＣＡの実行に成功したサブフレームを用いて前記占用時間長シグナリングを送信することと、
前記ステーションが、前記ＣＣＡ及び／又はｅＣＣＡの実行に成功したスケジューリング単位を用いて前記占用時間長シグナリングを送信することと、
前記ステーションが、予め約束した、前記ＣＣＡ及び／又はｅＣＣＡの実行に成功したサブフレームの次のサブフレームを用いて前記占用時間長シグナリングを送信することと、
前記ステーションが、予め約束した、前記ＣＣＡ及び／又はｅＣＣＡの実行に成功したスケジューリング単位の次のスケジューリング単位を用いて前記占用時間長シグナリングを送信することと、
前記ステーションが、前記アンライセンスキャリアの時間長におけるそれぞれのサブフレームを用いて前記占用時間長シグナリングを送信することと、
前記ステーションが、前記アンライセンスキャリアの時間長におけるそれぞれのスケジューリング単位を用いて前記占用時間長シグナリングを送信することと、のうち少なくとも一方により行われる
請求項２２に記載の方法。
【請求項２４】
前記ステーションが、前記アンライセンスキャリアの時間長におけるそれぞれのサブフレームを用いて前記占用時間長シグナリングを送信することは、
前記ステーションが、前記それぞれのサブフレームにて約束したリソース位置を用いて、共通の無線ネットワーク一時識別子ＲＮＴＩの補助により、前記占用時間長シグナリングを送信することを含む
請求項２３に記載の方法。
【請求項２５】
前記ステーションが、前記ＣＣＡ及び／又はｅＣＣＡを実行した後、
信号エネルギーが存在しない物理リソースブロックＰＲＢの周波数領域と、
信号エネルギーが存在しないリソースユニットＲＥの周波数領域と、
信号エネルギーが存在しないサブキャリアの周波数領域と、のうち少なくとも一方の周波数帯域リソースを決定すること、をさらに含む
請求項１に記載の方法。
【請求項２６】
前記ステーションが、前記周波数領域リソースを決定した後、
信号エネルギーが存在しない前記周波数領域リソースのパターンに基づいて、アンライセンスキャリアを占用するステーションの属性を決定することをさらに含み、前記ステーションの属性は、ステーションの所属する事業者情報と、ステーションが周波数再使用及び／又は多重化をサポートするか否かと、のうち少なくとも一方を含む
請求項２５に記載の方法。
【請求項２７】
前記ステーションが、前記ＣＣＡ及び／又はｅＣＣＡを実行した後、
信号エネルギーが存在する物理リソースブロックＰＲＢの周波数領域と、
信号エネルギーが存在するリソースユニットＲＥの周波数領域と、
信号エネルギーが存在するサブキャリアの周波数領域と、のうち少なくとも一方の周波数領域リソースを決定することをさらに含む
請求項１に記載の方法。
【請求項２８】
前記ステーションが、前記周波数領域リソースを決定した後、
信号エネルギーが存在する前記周波数領域リソースのパターンに基づいて、アンライセンスキャリアを占用するステーションの属性を決定することをさらに含み、前記ステーションの属性は、ステーションの所属する事業者情報と、ステーションが周波数再使用及び／又は多重化をサポートするか否かと、のうち少なくとも一方を含む
請求項２７に記載の方法。
【請求項２９】
ステーションに応用されるアンライセンスキャリアの処理装置であって、
空きチャネル評価ＣＣＡ及び／又は拡張空きチャネル評価ｅＣＣＡを実行する実行モジュールと、
アンライセンスキャリアを所定の粒状度で占用する、及び／又は、アンライセンスキャリアを宣言された時間長で占用する占用モジュールと、
を備えるアンライセンスキャリアの処理装置。
【請求項３０】
前記占用モジュールは、
サブフレームを粒状度として、前記アンライセンスキャリアを所定の粒状度で占用する、及び／又は、
長期的進化ＬＴＥのタイムスロットと、１つ又は複数の直交周波数分割多重化ＯＦＤＭシンボルとのうち少なくとも一方を含むスケジューリング単位を粒状度として、前記アンライセンスキャリアを所定の粒状度で占用する、及び／又は、
アンライセンスキャリアを宣言された時間長で占用する
請求項２９に記載の装置。
【請求項３１】
ステーションが空きチャネル評価ＣＣＡ及び／又は拡張空きチャネル評価ｅＣＣＡを実行することと、
前記ステーションがアンライセンスキャリアを所定の粒状度で占用することと、
前記ステーションが、前記アンライセンスキャリアを占用する時間長に基づいて、シグナリングを構成して送信することと、を含み、
前記シグナリングは、前記ステーションが前記アンライセンスキャリアを占用する時間長内の最後のサブフレームにおける占用される直交周波数分割多重化ＯＦＤＭシンボルに対する記述を含む
アンライセンスキャリアの処理方法。
【請求項３２】
前記ステーションが前記アンライセンスキャリアを所定の粒状度で占用することは、
前記ステーションが、サブフレームを粒状度として前記アンライセンスキャリアを占用することと、
前記ステーションが、長期的進化ＬＴＥのタイムスロットと、１つ又は複数の直交周波数分割多重化ＯＦＤＭシンボルとのうち少なくとも一方を含むスケジューリング単位を粒状度として前記アンライセンスキャリアを占用することと、のうち少なくとも一方を含む
請求項３１に記載の方法。
【請求項３３】
前記ステーションが前記シグナリングを送信することは、
前記ステーションが前記アンライセンスキャリアの時間長内の１つ又は複数のサブフレームを用いて前記シグナリングを送信すること、及び／又は、
前記ステーションが前記アンライセンスキャリアの時間長内のそれぞれのサブフレームにおいて前記シグナリングを送信すること、を含む
請求項３１又は３２に記載の方法。
【請求項３４】
前記ステーションが前記シグナリングを送信することは、
前記ステーションが前記アンライセンスキャリアの時間長内のサブフレームにて約束したリソース位置で共通の無線ネットワーク一時識別子ＲＮＴＩの補助により、前記シグナリングを送信することを含む
請求項３３に記載の方法。
【請求項３５】
前記ステーションが前記シグナリングを送信することは、
前記ステーションが、前記アンライセンスキャリアの時間長内のサブフレームにおいて、物理下り制御チャネルＰＤＣＣＨ又は拡張物理下り制御チャネルｅＰＤＣＣＨの共通探索領域を用いて前記シグナリングを送信することを含む
請求項３４に記載の方法。
【請求項３６】
前記アンライセンスキャリアの時間長内のサブフレームのうち最後のサブフレームが完全なサブフレームである場合、前記シグナリングで、前記最後のサブフレームのすべてのＯＦＤＭシンボルが占用されることを記述すること、をさらに含む
請求項３１又は３２に記載の方法。
【請求項３７】
前記アンライセンスキャリアの時間長内のサブフレームが上りサブフレーム、下りサブフレームを含む場合、前記ステーションの占用するサブフレームは、下りサブフレームのみを含むか、又は、上りサブフレームのみを含むか、又は、上りサブフレーム及び下りサブフレームの双方を含む
請求項３１又は３２に記載の方法。
【請求項３８】
前記アンライセンスキャリアの時間長内のサブフレームのうち最後のサブフレームが完全でないサブフレームである場合、前記シグナリングで、前記最後のサブフレームにおける占用されるＯＦＤＭシンボルを記述する
請求項３１又は３２に記載の方法。
【請求項３９】
ステーションから送信された、アンライセンスキャリアを占用する時間長のシグナリングを受信し解析することと、
解析された前記シグナリングに基づいて、前記時間長内の最後のサブフレームにおける占用される直交周波数分割多重化ＯＦＤＭシンボルを決定することと、を含み、
前記シグナリングは、前記ステーションが前記アンライセンスキャリアを占用する時間長内の最後のサブフレームにおける占用されるＯＦＤＭシンボルに対する記述を含む
アンライセンスキャリアの処理方法。
【請求項４０】
ステーションに応用されるアンライセンスキャリアの処理装置であって、
空きチャネル評価ＣＣＡ及び／又は拡張空きチャネル評価ｅＣＣＡを実行する実行モジュールと、
アンライセンスキャリアを所定の粒状度で占用するキャリア占用モジュールと、
前記アンライセンスキャリアを占用する時間長に基づいて、シグナリングを構成して送信する送信モジュールと、を備え、
前記シグナリングは、前記ステーションが前記アンライセンスキャリアを占用する時間長内の最後のサブフレームにおける占用される直交周波数分割多重化ＯＦＤＭシンボルに対する記述を含む
アンライセンスキャリアの処理装置。
【請求項４１】
ステーションから送信された、アンライセンスキャリアを占用する時間長のシグナリングを受信し解析する受信モジュールと、
解析された前記シグナリングに基づいて、前記時間長内の最後のサブフレームにおける占用される直交周波数分割多重化ＯＦＤＭシンボルを決定する決定モジュールと、を備え、
前記シグナリングは、前記ステーションが前記アンライセンスキャリアを占用する時間長内の最後のサブフレームにおける占用されるＯＦＤＭシンボルに対する記述を含む
アンライセンスキャリアの処理装置。
【発明の詳細な説明】
【技術分野】
【０００１】
本発明は、通信分野に関するが、これには限定されず、特に、アンライセンスキャリアの処理方法及び装置に関するものである。
【背景技術】
【０００２】
従来、長期的進化（Long Term Evolution、単にＬＴＥという）は、ライセンスキャリアに配置されて動作する。ＬＴＥの進化に伴って、２０１３年の下半年に、一部の会社（例えば、アメリカのクアルコム社）は、アンライセンスキャリアにおけるＬＴＥの配置に関する課題を研究するよう提唱した。しかし、今までもＬＴＥに受け入れられず、立案されていない。
【０００３】
クアルコム社により、データサービスの急速増加に伴って、近いうちに、ライセンススペクトルにこのような膨大なデータ量を載せることができなくなることが主な立案理由として提案された。このため、アンライセンススペクトルにＬＴＥを配置し、アンライセンススペクトルにライセンスキャリアにおけるデータトラフィックを分担させるアドバイスをした。
【０００４】
また、アンライセンススペクトルについても、たくさんの利点が挙げられる。例えば、アンライセンススペクトルは、
無料／低費用（アンライセンスを購入する必要がなく、スペクトルリソースはコスト無し）、
低アドミッション要求、低コスト（個人も企業も配置に参与することができ、機器サプライヤーが任意の機器を提供することができる）、
リソース共有（複数の異なるシステムがそれにて動作する場合、或いは、同一のシステムの異なる事業者がそれにて動作する場合、リソース共有方式によりスペクトル効率を高めることが考えられる）、
無線アクセス技術が多い（異なる通信規格に関わり、協働しにくく、ネットワークトポロジーが多様化する）、
無線アクセスステーションが多い（ユーザ数が多く、協働しにくく、統括管理のオーバヘッドが大きい）、
応用が多い（資料によれば、マルチサービス、例えば、機械間通信（Machine to machine、単にＭ２Ｍという）、車車間通信（Vehicle to vehicle、単にＶ２Ｖという）がそれにて動作することができる、と記載されている）、といった特徴及び利点を有する。
【０００５】
上記特徴により、アンライセンスキャリアが無線通信システムの重要な進化方向になり得る一方、いろんな問題があることが決められる。例えば、アンライセンスキャリアには様々な無線システムが存在するが、これらの無線システム間は協調しにくく、干渉が深刻である。
【０００６】
ＬＴＥシステムをアンライセンスキャリアに動作させれば、ＬＴＥ基地局がアンライセンスキャリアリソースを先取的に占用する場合、どのようにしてＬＴＥのサブフレームのスケジューリングに十分に合わせて占用時間長を決定してリソース浪費を回避するか、及びＬＴＥに適した競争回避メカニズムに制約されて、占用時間長をどのようにしてより合理的なものにするかは、解決されるべき問題である。
【０００７】
関連技術における、アンライセンスキャリアの占用を実現できない問題に対して、未だに有効な対策が提示されていない。
【発明の概要】
【発明が解決しようとする課題】
【０００８】
以下は、本発明を詳しく説明した主題の概述である。本概述は請求項の保護範囲を限定することは意図していない。
【０００９】
本発明の実施例は、アンライセンスキャリアの占用を実現できるアンライセンスキャリアの処理方法及び装置を提供する。
【課題を解決するための手段】
【００１０】
本発明の実施例の一態様によれば、ステーションが空きチャネル評価ＣＣＡ及び／又は拡張空きチャネル評価ｅＣＣＡを実行することと、前記ステーションがアンライセンスキャリアを所定の粒状度で占用する、及び／又は、アンライセンスキャリアを宣言された時間長で占用することと、を含むアンライセンスキャリアの処理方法が提供される。
【００１１】
オプションとして、前記ステーションが前記アンライセンスキャリアを所定の粒状度で占用することは、前記ステーションが、サブフレームを粒状度として前記アンライセンスキャリアを占用することと、前記ステーションが、長期的進化ＬＴＥのタイムスロットと、１つ又は複数の直交周波数分割多重化ＯＦＤＭシンボルとのうち少なくとも一方を含むスケジューリング単位を粒状度として前記アンライセンスキャリアを占用することと、のうち少なくとも一方を含んでもよい。
【００１２】
オプションとして、前記方法は、前記ステーションがアンライセンスキャリアを占用する場合、前記ステーションが、占用されるべき前記アンライセンスキャリアの時間長を決定することをさらに含んでもよい。
【００１３】
オプションとして、前記ステーションが、占用されるべき前記アンライセンスキャリアの時間長を決定することは、前記アンライセンスキャリアの時間長内のサブフレームのうち最後のサブフレームが完全でないサブフレームである場合、前記ステーションが、前記アンライセンスキャリアの時間長内の最後のサブフレームを削除するか使用しないと決定することと、
前記アンライセンスキャリアの時間長内における最初のサブフレームは完全でないサブフレームであることができ、それ以外のサブフレームはいずれも完全なサブフレームであることと、
前記アンライセンスキャリアの時間長内のスケジューリング単位のうち最後のサブフレームが完全でないスケジューリング単位である場合、前記ステーションが、前記アンライセンスキャリアの時間長内の最後のスケジューリング単位を削除するか使用しないと決定することと、
前記アンライセンスキャリアの時間長内における最初のスケジューリング単位は完全でないスケジューリング単位であることができ、それ以外のサブフレームはいずれも完全なスケジューリング単位であることと、のうち少なくとも一方を含んでもよい。
【００１４】
オプションとして、前記ステーションが、占用されるべき前記アンライセンスキャリアの時間長を決定することは、
前記アンライセンスキャリアの時間長内のサブフレームのうち最後のサブフレームが完全でないサブフレームである場合、前記最後のサブフレームの全時間長が前記アンライセンスキャリアの時間長内に含まれており、且つ前記アンライセンスキャリアの時間長が、規制又はプロトコルで規定された最大時間長を超えていなければ、前記ステーションが、最後のサブフレームの全時間長を含むすべてのサブフレームの時間長を占用し使用すると決定することと、
前記アンライセンスキャリアの時間長内のスケジューリング単位のうち最後のスケジューリング単位が完全でないスケジューリング単位である場合、最後のスケジューリング単位の全時間長が前記時間長内に含まれており、且つ前記アンライセンスキャリアの時間長が、規制又はプロトコルで規定された最大時間長を超えていなければ、前記ステーションが、最後のスケジューリング単位の全時間長を含むすべてのスケジューリング単位の時間長を占用し使用すると決定することと、のうち少なくとも一方を含んでもよい。
【００１５】
オプションとして、前記宣言された時間長が、時間量、一定の時間の長さ、予め設定された時間の長さのうち少なくとも一方である場合、前記宣言された時間長は、
前記宣言された時間長の最初のサブフレーム又は最初のスケジューリング単位の実際の占用時間長を除いた残余の占用時間長を、サブフレームの時間長又はスケジューリング単位の時間長で割って商が得られ、得られた商を切り下げるか切り上げることで得た実際の占用時間長が対応するサブフレーム又はスケジューリング単位、を含んでもよい。
【００１６】
オプションとして、前記方法は、
前記ステーションが前記アンライセンスキャリアを占用する場合、前記ステーションは、前記アンライセンスキャリアについて優先的な使用権を有することと、
前記ステーションが前記アンライセンスキャリアを占用する場合、前記ステーションは、他のステーションが前記アンライセンスキャリアを使用することを許可することができ、前記他のステーションが前記アンライセンスキャリアを使用する必要がある場合、前記他のステーションは、前記ステーションが前記アンライセンスキャリアを占用する時間長内に、ＣＣＡ及び／又はｅＣＣＡを実行することで、前記アンライセンスキャリアの使用権を取得することと、
前記他のステーションが前記ステーションによる占用時間長内に実行するＣＣＡ及び／又はｅＣＣＡは、前記ステーションが当該アンライセンスキャリアを先取的に占有するＣＣＡ及び／又はｅＣＣＡよりも先取占有確率が高い高優先度のＣＣＡ及び／又はｅＣＣＡであることと、のうち少なくとも一方をさらに含んでもよい。
【００１７】
オプションとして、前記アンライセンスキャリアを占有する時間長の時間長パラメータは、
前記ステーションがＣＣＡ及び／又はｅＣＣＡを実行することに成功したサブフレームから連続する占用されるサブフレームと、
前記ステーションがＣＣＡ及び／又はｅＣＣＡを実行することに成功したスケジューリング単位から連続する占用されるスケジューリング単位と、
前記ステーションが決定した、ＣＣＡ及び／又はｅＣＣＡの実行に成功したＯＦＤＭシンボルから占用されるＯＦＤＭシンボルと、
前記ステーションが決定した、現在サブフレームに対して残存する占用されるべきサブフレームと、
前記ステーションが決定した、現在スケジューリング単位に対して残存する占用されるべきスケジューリング単位と、
前記ステーションが決定した、現在ＯＦＤＭシンボルに対して残存する占用されるべきＯＦＤＭシンボルと、
前記ステーションが決定した、現在サブフレームに対してその後のアンライセンスキャリアを占用する時間長内の最後のサブフレームのサブフレーム番号と、
前記ステーションが決定した、現在スケジューリング単位に対してその後のアンライセンスキャリアを占用する時間長内の最後のスケジューリング単位の番号と、のうち少なくとも一方を含み、
前記ＣＣＡ及び／又はｅＣＣＡの実行に成功したサブフレームは、前記アンライセンスキャリアの時間長に含まれるか含まれず、前記ＣＣＡ及び／又はｅＣＣＡの実行に成功したスケジューリング単位は、前記アンライセンスキャリアの時間長に含まれるか含まれない。
【００１８】
オプションとして、前記方法は、
前記時間長パラメータは、前記ステーションがＣＣＡ及び／又はｅＣＣＡを実行することに成功したサブフレームから連続する占用されるサブフレームを含む場合、前記時間長パラメータは、前記連続する占用されるサブフレームのうち最後のサブフレームにおける占用されるＯＦＤＭシンボルをさらに含むことと、
前記時間長パラメータは、前記ステーションがＣＣＡ及び／又はｅＣＣＡを実行することに成功したスケジューリング単位から連続する占用されるスケジューリング単位を含む場合、前記時間長パラメータは、前記連続する占用されるスケジューリング単位のうち最後のスケジューリング単位における占用されるＯＦＤＭシンボルをさらに含むことと、
前記時間長パラメータは、前記ステーションが決定した、現在サブフレームに対して残存する占用されるべきサブフレームを含む場合、前記時間長パラメータは、前記残存する占用されるべきサブフレームのうち最後のサブフレームにおける占用されるＯＦＤＭシンボルをさらに含むことと、
前記時間長パラメータは、前記ステーションが決定した、現在スケジューリング単位に対して残存する占用されるべきスケジューリング単位を含む場合、前記時間長パラメータは、前記残存する占用されるべきスケジューリング単位のうち最後のスケジューリング単位における占用されるＯＦＤＭシンボルをさらに含むことと、
前記時間長パラメータは、前記ステーションが決定した、現在サブフレームに対してその後のアンライセンスキャリアを占用する時間長内の最後のサブフレームのサブフレーム番号を含む場合、前記時間長パラメータは、前記最後のサブフレームにおける占用されるＯＦＤＭシンボルをさらに含むことと、
前記時間長パラメータは、前記ステーションが決定した、現在スケジューリング単位に対してその後のアンライセンスキャリアを占用する時間長内の最後のスケジューリング単位の番号を含む場合、前記時間長パラメータは、前記最後のスケジューリング単位における占用されるＯＦＤＭシンボルをさらに含むことと、のうち少なくとも一方をさらに含んでもよい。
【００１９】
オプションとして、前記ステーションがＣＣＡ及び／又はｅＣＣＡを実行することは、前記ステーションが、前記ＣＣＡ及び／又はｅＣＣＡを実行されるサブフレームにおける先頭からの所定数のＯＦＤＭシンボルにおいて前記ＣＣＡ及び／又はｅＣＣＡを実行すること、を含んでもよい。
【００２０】
オプションとして、前記ステーションが、前記アンライセンスキャリアの時間長内の最後のサブフレームを削除するか使用しないと決定する、及び／又は、前記ステーションが、前記アンライセンスキャリアの時間長内の最後のスケジューリング単位を削除するか使用しないと決定する場合、前記ＣＣＡ及び／又はｅＣＣＡを実行することは、
前記ステーション又は前記他のステーションが、前記最後のサブフレーム及び／又は最後のスケジューリング単位において前記ＣＣＡ及び／又はｅＣＣＡを実行すること、及び／又は、
前記ステーションから許可を得たステーションが、前記最後のサブフレーム及び／又は最後のスケジューリング単位において前記ＣＣＡ及び／又はｅＣＣＡを実行すること、を含んでもよい。
【００２１】
オプションとして、前記方法は、
前記ステーションが、前記アンライセンスキャリアの時間長内の最後のサブフレームを削除するか使用しないと決定する、及び／又は、前記ステーションが、前記アンライセンスキャリアの時間長内の最後のスケジューリング単位を削除するか使用しないと決定する場合、
前記ステーションが、前記最後のサブフレーム及び／又は最後のスケジューリング単位を用いたデータ送信を行わないこと、をさらに含んでもよい。
【００２２】
オプションとして、前記方法は、前記ＣＣＡ及び／又はｅＣＣＡの実行に成功したサブフレーム及び／又はスケジューリング単位が、前記時間長に含まれる場合、
前記ＣＣＡ及び／又はｅＣＣＡの実行に成功したサブフレーム及び／又はスケジューリング単位全体を１つのサブフレーム又はスケジューリング単位として、前記アンライセンスキャリアの時間長内の算定対象とすること、及び／又は、
前記ＣＣＡ及び／又はｅＣＣＡの実行に成功したサブフレーム及び／又はスケジューリング単位のうち、前記ＣＣＡ及び／又はｅＣＣＡを実行するタイミングから当該サブフレーム又はスケジューリング単位が終了するまでのサブフレーム又はスケジューリング単位を、前記アンライセンスキャリアの時間長内の算定対象とすること、をさらに含んでもよい。
【００２３】
オプションとして、前記アンライセンスキャリアの時間長の終了タイミングは、所定のサブフレーム及び／又はスケジューリング単位の終了境界タイミングであってもよい。
【００２４】
オプションとして、前記方法は、
前記ステーションは、前記アンライセンスキャリアを占用する時に、他のステーションが前記ステーションとの間で周波数分割多重化、時分割多重化、空間分割多重化、符号分割多重化のうち少なくとも一方を含む多重化方式で前記アンライセンスキャリア上のリソースを使用することを許可し、或いは、前記ステーションは、前記他のステーションが単独で前記アンライセンスキャリア上のリソースを使用することを許可し、前記他のステーションが前記多重化方式で前記アンライセンスキャリア上のリソースを使用する場合、前記他のステーションは、まず最初にＣＣＡ及び／又はｅＣＣＡを実行する必要があり、前記ＣＣＡ及び／又はｅＣＣＡを実行することに成功してから、リソースの多重化を行うこと、をさらに含み、
前記他のステーションが前記ＣＣＡ及び／又はｅＣＣＡを実行することは、前記他のステーションが、約束した周波数リソースパターンに従って前記ＣＣＡ及び／又はｅＣＣＡを実行することを含み、前記約束した周波数リソースパターンは、約束した物理リソースブロックＰＲＢ、約束したリソース単位ＲＥ、約束したサブキャリアのうち少なくとも一方を含む。
【００２５】
オプションとして、前記実際の占用時間長が対応するサブフレーム又はスケジューリング単位を取得することは、
得られた前記商を切り上げた後、実際の占用時間長が、規制又はプロトコルで規定された最大時間長を超えていなければ、前記ステーションが前記宣言された時間長を切り上げることにより決定することと、
得られた前記商を切り上げた後、実際の占用時間長が、規制又はプロトコルで規定された最大時間長を超えていれば、前記ステーションが前記宣言された時間長を切り下げることにより決定することと、のうち少なくとも一方を含んでもよい。
【００２６】
オプションとして、前記時間量は、前記ステーションが、前記アンライセンスキャリアを占用する時間長を記述するシグナリングに含ませた、前記アンライセンスキャリアの時間長の数値を含み、前記数値は、時間単位を次元とする時間量である。
【００２７】
オプションとして、前記一定の時間の長さは、プロトコル及び／又は規制で規定された、前記ステーションがアンライセンスキャリアを占用するたびの宣言された時間長を含んでもよい。
【００２８】
オプションとして、前記予め設定された時間の長さは、準静的に設定された時間の長さ及び／又は動的に設定された時間の長さを含んでもよい。
【００２９】
オプションとして、前記他のステーションが取得した前記アンライセンスキャリアの使用権は、前記ステーションが前記アンライセンスキャリアを占用する時間長内に有効であり、
前記ステーションが前記アンライセンスキャリアを占用する時間長内に有効であることは、
前記ステーションが前記アンライセンスキャリアを占用する時間長内における１つ又は複数のサブフレームにて有効であること、又は、前記ステーションが前記アンライセンスキャリアを占用する時間長内における１つ又は複数のスケジューリング単位にて有効であることを含む。
【００３０】
オプションとして、前記方法は、前記ステーションが前記アンライセンスキャリアを占用し、且つ前記ステーションが使用しないサブフレーム及び／又はスケジューリング単位は、前記他のステーションに使用される場合、前記ステーションが前記サブフレーム及び／又はスケジューリング単位を再使用する必要があれば、前記ステーションは、前記ＣＣＡ及び／又はｅＣＣＡを実行する必要がなく、直接前記サブフレーム及び／又はスケジューリング単位を使用すること、をさらに含んでもよい。
【００３１】
オプションとして、前記方法は、前記ステーションがアンライセンスキャリアを所定の粒状度で占用する、及び／又は、前記アンライセンスキャリアを宣言された時間長で占用した後、
前記ステーションが、前記アンライセンスキャリアを占用する時間長を含む占用時間長シグナリングにより他のステーションに報知することをさらに含んでもよい。
【００３２】
オプションとして、前記ステーションが前記占用時間長シグナリングを前記他のステーションに報知することは、
前記ステーションが、前記ＣＣＡ及び／又はｅＣＣＡの実行に成功したサブフレームを用いて前記占用時間長シグナリングを送信することと、
前記ステーションが、前記ＣＣＡ及び／又はｅＣＣＡの実行に成功したスケジューリング単位を用いて前記占用時間長シグナリングを送信することと、
前記ステーションが、予め約束した、前記ＣＣＡ及び／又はｅＣＣＡの実行に成功したサブフレームの次のサブフレームを用いて前記占用時間長シグナリングを送信することと、
前記ステーションが、予め約束した、前記ＣＣＡ及び／又はｅＣＣＡの実行に成功したスケジューリング単位の次のスケジューリング単位を用いて前記占用時間長シグナリングを送信することと、
前記ステーションが、前記アンライセンスキャリアの時間長におけるそれぞれのサブフレームを用いて前記占用時間長シグナリングを送信することと、
前記ステーションが、前記アンライセンスキャリアの時間長におけるそれぞれのスケジューリング単位を用いて前記占用時間長シグナリングを送信することと、のうち少なくとも一方により行われてもよい。
【００３３】
オプションとして、前記ステーションが、前記アンライセンスキャリアの時間長におけるそれぞれのサブフレームを用いて前記占用時間長シグナリングを送信することは、
前記ステーションが、前記それぞれのサブフレームにて約束したリソース位置を用いて、共通の無線ネットワーク一時識別子ＲＮＴＩの補助により、前記占用時間長シグナリングを送信することを含んでもよい。
【００３４】
オプションとして、前記方法は、前記ステーションが、前記ＣＣＡ及び／又はｅＣＣＡを実行した後、
信号エネルギーが存在しない物理リソースブロックＰＲＢの周波数領域と、
信号エネルギーが存在しないリソースユニットＲＥの周波数領域と、
信号エネルギーが存在しないサブキャリアの周波数領域と、のうち少なくとも一方の周波数帯域リソースを決定すること、をさらに含んでもよい。
【００３５】
オプションとして、前記方法は、
前記ステーションが、前記周波数領域リソースを決定した後、
信号エネルギーが存在しない前記周波数領域リソースのパターンに基づいて、アンライセンスキャリアを占用するステーションの属性を決定することをさらに含み、前記ステーションの属性は、ステーションの所属する事業者情報と、ステーションが周波数再使用及び／又は多重化をサポートするか否かと、のうち少なくとも一方を含む。
【００３６】
オプションとして、前記方法は、
前記ステーションが、前記ＣＣＡ及び／又はｅＣＣＡを実行した後、
信号エネルギーが存在する物理リソースブロックＰＲＢの周波数領域と、
信号エネルギーが存在するリソースユニットＲＥの周波数領域と、
信号エネルギーが存在するサブキャリアの周波数領域と、のうち少なくとも一方の周波数領域リソースを決定することをさらに含んでもよい。
【００３７】
オプションとして、前記方法は、
前記ステーションが、前記周波数領域リソースを決定した後、
信号エネルギーが存在する前記周波数領域リソースのパターンに基づいて、アンライセンスキャリアを占用するステーションの属性を決定することをさらに含み、前記ステーションの属性は、ステーションの所属する事業者情報と、ステーションが周波数再使用及び／又は多重化をサポートするか否かと、のうち少なくとも一方を含む。
【００３８】
本発明の実施例の他の一態様によれば、ステーションに応用されるアンライセンスキャリアの処理装置であって、空きチャネル評価ＣＣＡ及び／又は拡張空きチャネル評価ｅＣＣＡを実行する実行モジュールと、アンライセンスキャリアを所定の粒状度で占用する、及び／又は、アンライセンスキャリアを宣言された時間長で占用する占用モジュールと、を備えるアンライセンスキャリアの処理装置が提供される。
【００３９】
オプションとして、前記占用モジュールは、
サブフレームを粒状度として、前記アンライセンスキャリアを所定の粒状度で占用する、及び／又は、
長期的進化ＬＴＥのタイムスロットと、１つ又は複数の直交周波数分割多重化ＯＦＤＭシンボルとのうち少なくとも一方を含むスケジューリング単位を粒状度として、前記アンライセンスキャリアを所定の粒状度で占用する、及び／又は、
アンライセンスキャリアを宣言された時間長で占用するように構成されてもよい。
【００４０】
本発明の実施例の他の一態様によれば、
ステーションが空きチャネル評価ＣＣＡ及び／又は拡張空きチャネル評価ｅＣＣＡを実行することと、
前記ステーションがアンライセンスキャリアを所定の粒状度で占用することと、
前記ステーションが、前記アンライセンスキャリアを占用する時間長に基づいて、シグナリングを構成して送信することと、を含み、
前記シグナリングは、前記ステーションが前記アンライセンスキャリアを占用する時間長内の最後のサブフレームにおける占用される直交周波数分割多重化ＯＦＤＭシンボルに対する記述を含むアンライセンスキャリアの処理方法が提供される。
【００４１】
オプションとして、前記ステーションが前記アンライセンスキャリアを所定の粒状度で占用することは、
ステーションが、サブフレームを粒状度として前記アンライセンスキャリアを占用することと、
ステーションが、長期的進化ＬＴＥのタイムスロットと、１つ又は複数の直交周波数分割多重化ＯＦＤＭシンボルとのうち少なくとも一方を含むスケジューリング単位を粒状度としてアンライセンスキャリアを占用することと、のうち少なくとも一方を含んでもよい。
【００４２】
オプションとして、ステーションが前記シグナリングを送信することは、
前記ステーションが前記アンライセンスキャリアの時間長内の１つ又は複数のサブフレームを用いて前記シグナリングを送信すること、及び／又は、
前記ステーションが前記アンライセンスキャリアの時間長内のそれぞれのサブフレームにおいて前記シグナリングを送信すること、を含んでもよい。
【００４３】
オプションとして、前記ステーションが前記シグナリングを送信することは、
前記ステーションが前記アンライセンスキャリアの時間長内のサブフレームにて約束したリソース位置で共通の無線ネットワーク一時識別子ＲＮＴＩの補助により、前記シグナリングを送信することを含んでもよい。
【００４４】
オプションとして、前記ステーションが前記シグナリングを送信することは、
前記ステーションが、前記アンライセンスキャリアの時間長内のサブフレームにおいて、物理下り制御チャネルＰＤＣＣＨ又は拡張物理下り制御チャネルｅＰＤＣＣＨの共通探索領域を用いて前記シグナリングを送信することを含んでもよい。
【００４５】
オプションとして、前記方法は、前記アンライセンスキャリアの時間長内のサブフレームのうち最後のサブフレームが完全なサブフレームである場合、前記シグナリングで、前記最後のサブフレームのすべてのＯＦＤＭシンボルが占用されることを記述すること、をさらに含んでもよい。
【００４６】
オプションとして、前記アンライセンスキャリアの時間長内のサブフレームが上りサブフレーム、下りサブフレームを含む場合、前記ステーションの占用するサブフレームは、下りサブフレームのみを含むか、又は、上りサブフレームのみを含むか、又は、上りサブフレーム及び下りサブフレームの双方を含んでもよい。
【００４７】
オプションとして、前記アンライセンスキャリアの時間長内のサブフレームのうち最後のサブフレームが完全でないサブフレームである場合、前記シグナリングで、前記最後のサブフレームにおける占用されるＯＦＤＭシンボルを記述する。
【００４８】
本発明の実施例の他の一態様によれば、
ステーションから送信された、アンライセンスキャリアを占用する時間長のシグナリングを受信し解析することと、
解析された前記シグナリングに基づいて、前記時間長内の最後のサブフレームにおける占用される直交周波数分割多重化ＯＦＤＭシンボルを決定することと、を含み、
前記シグナリングは、前記ステーションが前記アンライセンスキャリアを占用する時間長内の最後のサブフレームにおける占用されるＯＦＤＭシンボルに対する記述を含むアンライセンスキャリアの処理方法が提供される。
【００４９】
本発明の実施例の他の一態様によれば、ステーションに応用されるアンライセンスキャリアの処理装置であって、
空きチャネル評価ＣＣＡ及び／又は拡張空きチャネル評価ｅＣＣＡを実行する実行モジュールと、
アンライセンスキャリアを所定の粒状度で占用するキャリア占用モジュールと、
前記アンライセンスキャリアを占用する時間長に基づいて、シグナリングを構成して送信する送信モジュールと、を備え、
前記シグナリングは、前記ステーションが前記アンライセンスキャリアを占用する時間長内の最後のサブフレームにおける占用される直交周波数分割多重化ＯＦＤＭシンボルに対する記述を含むアンライセンスキャリアの処理装置が提供される。
【００５０】
本発明の実施例の他の一態様によれば、
ステーションから送信された、アンライセンスキャリアを占用する時間長のシグナリングを受信し解析する受信モジュールと、
解析された前記シグナリングに基づいて、前記時間長内の最後のサブフレームにおける占用される直交周波数分割多重化ＯＦＤＭシンボルを決定する決定モジュールと、を備え、
前記シグナリングは、前記ステーションが前記アンライセンスキャリアを占用する時間長内の最後のサブフレームにおける占用されるＯＦＤＭシンボルに対する記述を含むアンライセンスキャリアの処理装置が提供される。
【発明の効果】
【００５１】
本発明の実施例によれば、ステーションがＣＣＡ及び／又はｅＣＣＡを実行し、ステーションがアンライセンスキャリアを所定の粒状度で占用する、及び／又は、前記アンライセンスキャリアを宣言された時間長で占用することにより、アンライセンスキャリアの占用を実現する。
【００５２】
図面及び詳細な説明を読んで理解したうえで、他の態様を理解することができる。
【図面の簡単な説明】
【００５３】
【図１】本発明の実施例によるアンライセンスキャリアの処理方法のフローチャートである。
【図２】本発明の実施例によるアンライセンスキャリアの処理装置の構造ブロック図である。
【図３】本発明の他の実施例によるアンライセンスキャリアの処理方法のフローチャートである。
【図４】本発明の更なる実施例によるアンライセンスキャリアの処理方法のフローチャートである。
【図５】本発明のもう一つの実施例によるアンライセンスキャリアの処理装置の構造ブロック図である。
【図６】本発明の更なる実施例によるアンライセンスキャリアの処理装置の構造ブロック図である。
【図７】本発明の実施例によるＬＢＴの仕組みを示す図である。
【図８】本発明の実施例による占用時間長及び占用リソースを示す図である。
【発明を実施するための形態】
【００５４】
以下、図面を参照しつつ本願の実施例を詳しく説明する。なお、衝突しない限り、本願の実施例及び実施例中の構成要件を任意に組み合わせることができる。
【００５５】
なお、本発明の明細書及び特許請求の範囲並びに上記図面における「第１」、「第２」等の用語は、類似した対象を区別するためのものであり、特定の順番又は前後順序を説明するためのものではない。
【００５６】
本実施例においてアンライセンスキャリアの占有方法が提供され、図１は、本発明の実施例によるアンライセンスキャリアの処理方法のフローチャートであり、図１に示されるように、そのフローは以下のステップ１０２〜ステップ１０４を含む。
【００５７】
ステップ１０２：ステーションが空きチャネル評価（ＣＣＡ）及び／又は拡張空きチャネル評価（ｅＣＣＡ）を実行する。
【００５８】
なお、ステーションがＣＣＡ及び／又はｅＣＣＡを実行するのは、ステップ１０４においてアンライセンスキャリアを使用する使用権を取得できるためである。
【００５９】
ステップ１０４：ステーションがアンライセンスキャリアを所定の粒状度で占用する、及び／又は、アンライセンスキャリアを宣言された時間長で占用する。
【００６０】
なお、ここで、アンライセンスキャリアを所定の粒状度で占用することは、粒状度を予め設定してアンライセンスキャリアを占用することを含み、同様に、アンライセンスキャリアを宣言された時間長で占用することは、時間長を宣言してアンライセンスキャリアを占用することを含む。
【００６１】
上記ステップを通じて、ＣＣＡ及び／又はｅＣＣＡを行った後、アンライセンスキャリアを所定の粒状度で、及び／又は宣言された時間長で占用することにより、アンライセンスキャリアを占用することを実現し、関連技術における、アンライセンスキャリアの占用を実現できない問題を解決する。
【００６２】
代替的な実施例において、上記ステーションがアンライセンスキャリアを所定の粒状度で占用することは、該ステーションが、サブフレームを粒状度としてアンライセンスキャリアを占用することと、該ステーションが、スケジューリング単位を粒状度としてアンライセンスキャリアを占用することと、のうち少なくとも一方を含むことができ、該スケジューリング単位は、長期的進化（ＬＴＥ）のタイムスロットと、１つ又は複数の直交周波数分割多重化（ＯＦＤＭ）シンボルとのうち少なくとも一方を含む。
【００６３】
オプションとして、ステーションがアンライセンスキャリアを所定の粒状度で占用する、及び／又は、アンライセンスキャリアを宣言された時間長で占用する場合、該ステーションが、占用されるべきアンライセンスキャリアの時間長を決定することをさらに含んでもよい。この宣言された時間長は、決定された占用されるべきアンライセンスキャリアの時間長よりも小さいかそれと等しいものであることができる。
【００６４】
上記アンライセンスキャリアの時間長内のサブフレームのうち最後のサブフレームが、完全でないサブフレームである場合、ステーションが、アンライセンスキャリアの時間長内の最後のサブフレームを削除するか使用しないと決定し、即ち、ステーションが、アンライセンスキャリアの最後のサブフレームを占用しないか、占用するが使用しないと決定する。上記アンライセンスキャリアの時間長内における最初のサブフレームは完全でないサブフレームであることができ、それ以外のサブフレームは、いずれも完全なサブフレームである。ここで、最初のサブフレームは完全でないサブフレームであってもよいし、完全なサブフレームであってもよい。上記アンライセンスキャリアの時間長内のスケジューリング単位のうち最後のサブフレームが完全でないスケジューリング単位である場合、該ステーションが、アンライセンスキャリアの時間長内の最後のスケジューリング単位を削除するか使用しないと決定し、即ち、ステーションが、アンライセンスキャリアの最後のスケジューリング単位を占用しないか、占用するが使用しないと決定する。上記アンライセンスキャリアの時間長内における最初のスケジューリング単位は完全でないスケジューリング単位であることができ、それ以外のサブフレームはいずれも完全なスケジューリング単位である。ここで、最初のスケジューリング単位は完全でないスケジューリング単位であってもよいし、完全なスケジューリング単位であってもよい。
【００６５】
上記時間長内のサブフレームのうち最後のサブフレームが、完全でないサブフレームである場合、この最後のサブフレームの全時間長が、上記アンライセンスキャリアの時間長内に含まれており、且つ上記アンライセンスキャリアの時間長が、規制又はプロトコルで規定された最大時間長を超えていなければ、上記ステーションが、最後のサブフレームの全時間長を含むすべてのサブフレームの時間長を占用し使用すると決定する。上記アンライセンスキャリアの時間長内のスケジューリング単位のうち最後のスケジューリング単位が、完全でないスケジューリング単位である場合、最後のスケジューリング単位の全時間長が、上記時間長内に含まれており、且つ該アンライセンスキャリアの時間長が、規制又はプロトコルで規定された最大時間長を超えていなければ、上記ステーションが、最後のスケジューリング単位の全時間長を含むすべてのスケジューリング単位の時間長を占用し使用すると決定する。
【００６６】
代替的な実施例において、上記宣言された時間長が、時間量、一定の時間の長さ、予め設定された時間の長さのうち少なくとも一方であることができる場合、該宣言された時間長は、
上記宣言された時間長の最初のサブフレーム又は最初のスケジューリング単位の実際の占用時間長を除いた残余の占用時間長を、サブフレームの時間長又はスケジューリング単位の時間長で割って商が得られ、得られた商を切り下げるか切り上げることで得た実際の占用時間長が対応するサブフレーム又はスケジューリング単位、を含む。
【００６７】
代替的な実施例において、本発明の実施例の方法は、
上記ステーションがアンライセンスキャリアを占用する場合、上記ステーションは、アンライセンスキャリアについて優先的な使用権を有することと、
上記ステーションがアンライセンスキャリアを占用する場合、上記ステーションは、他のステーションがアンライセンスキャリアを使用することを許可することができ、他のステーションが上記アンライセンスキャリアを使用する必要がある場合、他のステーションは、上記ステーションがアンライセンスキャリアを占用する時間長内に、ＣＣＡ及び／又はｅＣＣＡを実行することで、アンライセンスキャリアを使用する使用権を取得し、
なお、ここで、他のステーションは、該ステーションに従属する下位ユーザ機器（ＵＥ）を含むことができることと、
上記他のステーションが上記ステーションによる占用時間長内に実行するＣＣＡ及び／又はｅＣＣＡは、上記ステーションが当該アンライセンスキャリアを先取的に占有するＣＣＡ及び／又はｅＣＣＡよりも先取占有確率が高い高優先度のＣＣＡ及び／又はｅＣＣＡであることと、のうち少なくとも一方をさらに含む。
【００６８】
代替的な実施例において、上記アンライセンスキャリアを占有する時間長の時間長パラメータは、ステーションがＣＣＡ及び／又はｅＣＣＡを実行することに成功したサブフレームから連続する占用されるサブフレーム（該ＣＣＡ及び／又はｅＣＣＡの実行に成功したサブフレームは、上記アンライセンスキャリアの時間長に含まれるか含まれない）と、ステーションがＣＣＡ及び／又はｅＣＣＡを実行することに成功したスケジューリング単位から連続する占用されるスケジューリング単位（該ＣＣＡ及び／又はｅＣＣＡの実行に成功したスケジューリング単位は、上記アンライセンスキャリアの時間長に含まれるか含まれない）と、ステーションが決定した、ＣＣＡ及び／又はｅＣＣＡの実行に成功したＯＦＤＭシンボルから占用されるＯＦＤＭシンボルと、ステーションが決定した、現在サブフレームに対して残存する占用されるべきサブフレームと、ステーションが決定した、現在スケジューリング単位に対して残存する占用されるべきスケジューリング単位と、ステーションが決定した、現在ＯＦＤＭシンボルに対して残存する占用されるべきＯＦＤＭシンボルと、ステーションが決定した、現在サブフレームに対してその後のアンライセンスキャリアを占用する時間長内の最後のサブフレームのサブフレーム番号と、ステーションが決定した、現在スケジューリング単位に対してその後のアンライセンスキャリアを占用する時間長内の最後のスケジューリング単位の番号と、のうち少なくとも一方を含む。
【００６９】
上記時間長パラメータは、ステーションがＣＣＡ及び／又はｅＣＣＡを実行することに成功したサブフレームから連続する占用されるサブフレームを含む場合、該時間長パラメータは、連続する占用されるサブフレームのうち最後のサブフレームにおける占用されるＯＦＤＭシンボルをさらに含み、上記時間長パラメータは、ステーションがＣＣＡ及び／又はｅＣＣＡを実行することに成功したスケジューリング単位から連続する占用されるスケジューリング単位を含む場合、該時間長パラメータは、連続する占用されるスケジューリング単位のうち最後のスケジューリング単位における占用されるＯＦＤＭシンボルをさらに含み、上記時間長パラメータは、ステーションが決定した、現在サブフレームに対して残存する占用されるべきサブフレームを含む場合、該時間長パラメータは、残存する占用されるべきサブフレームのうち最後のサブフレームにおける占用されるＯＦＤＭシンボルをさらに含み、上記時間長パラメータは、ステーションが決定した、現在スケジューリング単位に対して残存する占用されるべきスケジューリング単位を含む場合、該時間長パラメータは、残存する占用されるべきスケジューリング単位のうち最後のスケジューリング単位における占用されるＯＦＤＭシンボルをさらに含み、上記時間長パラメータは、ステーションが決定した、現在サブフレームに対してその後のアンライセンスキャリアを占用する時間長内の最後のサブフレームのサブフレーム番号を含む場合、該時間長パラメータは、最後のサブフレームにおける占用されるＯＦＤＭシンボルをさらに含み、上記時間長パラメータは、ステーションが決定した、現在スケジューリング単位に対してその後のアンライセンスキャリアを占用する時間長内の最後のスケジューリング単位の番号を含む場合、該時間長パラメータは、最後のスケジューリング単位における占用されるＯＦＤＭシンボルをさらに含む。
【００７０】
代替的な実施例において、上記ステーションがＣＣＡ及び／又はｅＣＣＡを実行することは、ステーションが、ＣＣＡ及び／又はｅＣＣＡを実行されるサブフレームにおける先頭からの所定数のＯＦＤＭシンボルにおいてＣＣＡ及び／又はｅＣＣＡを実行すること、を含む。
【００７１】
代替的な実施例において、上記ステーションが、アンライセンスキャリアの時間長内の最後のサブフレームを削除するか使用しないと決定する、及び／又は、ステーションが、アンライセンスキャリアの時間長内の最後のスケジューリング単位を削除するか使用しないと決定する場合、ＣＣＡ及び／又はｅＣＣＡを実行することは、
該ステーション又は他のステーション（例えば、該ステーションに従属する下位ＵＥ）が、最後のサブフレーム及び／又は最後のスケジューリング単位においてＣＣＡ及び／又はｅＣＣＡを実行すること、及び／又は、ステーションから許可を得たステーションが、最後のサブフレーム及び／又は最後のスケジューリング単位においてＣＣＡ及び／又はｅＣＣＡを実行すること、を含む。
【００７２】
代替的な実施例において、本発明の実施例の方法は、
ステーションが、アンライセンスキャリアの時間長内の最後のサブフレームを削除するか使用しないと決定する、及び／又は、ステーションが、アンライセンスキャリアの時間長内の最後のスケジューリング単位を削除するか使用しないと決定する場合、
該ステーションが、最後のサブフレーム及び／又は最後のスケジューリング単位を用いたデータ送信を行わないことをさらに含む。
【００７３】
代替的な実施例において、ＣＣＡ及び／又はｅＣＣＡの実行に成功したサブフレーム及び／又はスケジューリング単位が、上記時間長に含まれる場合、ＣＣＡ及び／又はｅＣＣＡの実行に成功したサブフレーム及び／又はスケジューリング単位全体を１つのサブフレーム又はスケジューリング単位として、上記アンライセンスキャリアの時間長内の算定対象とする、及び／又は、ＣＣＡ及び／又はｅＣＣＡの実行に成功したサブフレーム及び／又はスケジューリング単位のうち、ＣＣＡ及び／又はｅＣＣＡを実行するタイミングから該サブフレーム又はスケジューリング単位が終了するまでのサブフレーム又はスケジューリング単位を、上記アンライセンスキャリアの時間長内の算定対象とする。
【００７４】
代替的な実施例において、上記アンライセンスキャリアの時間長の終了タイミングは、所定のサブフレーム又はスケジューリング単位の終了境界タイミングである。
【００７５】
代替的な実施例において、上記ステーションは、アンライセンスキャリアを占用する時に、他のステーションが該ステーションとの間で多重化方式でアンライセンスキャリア上のリソースを使用することを許可し、或いは、該ステーションは、他のステーションが単独で該アンライセンスキャリア上のリソースを使用することを許可し、上記多重化方式は、周波数分割多重化、時分割多重化、空間分割多重化、符号分割多重化のうち少なくとも一方を含み、他のステーションが上記多重化方式でアンライセンスキャリア上のリソースを使用する場合、該他のステーションは、まず最初にＣＣＡ及び／又はｅＣＣＡを実行する必要があり、ＣＣＡ及び／又はｅＣＣＡを実行することに成功してから、リソースの多重化を行う。上記他のステーションがＣＣＡ及び／又はｅＣＣＡを実行することは、該他のステーションが、約束した周波数リソースパターンに従ってＣＣＡ及び／又はｅＣＣＡを実行することを含み、該約束した周波数リソースパターンは、約束した物理リソースブロック（ＰＲＢ）、約束したリソース単位（ＲＥ）、約束したサブキャリアのうち少なくとも一方を含む。
【００７６】
アンライセンスキャリアを宣言された時間長で占用し、且つ該宣言された時間長は、宣言された時間長の最初のサブフレーム又は最初のスケジューリング単位の実際の占用時間長を除いた残余の占用時間長を、サブフレームの時間長又はスケジューリング単位の時間長で割って商が得られ、得られた商を切り下げるか切り上げることで得た実際の占用時間長が対応するサブフレーム又はスケジューリング単位、を含む場合、オプションとして、得られた商を切り上げた後、実際の占用時間長が、規制又はプロトコルで規定された最大時間長を超えていなければ、該ステーションが宣言された時間長を切り上げることにより決定し、得られた商を切り上げた後、実際の占用時間長が、規制又はプロトコルで規定された最大時間長を超えていれば、該ステーションが宣言された時間長を切り下げることにより決定するようにしてもよい。
【００７７】
上記時間量は、ステーションが、前記アンライセンスキャリアを占用する時間長を記述するシグナリングに含ませた、前記アンライセンスキャリアの時間長の数値を含み、前記数値は、時間単位を次元とする時間量である。
【００７８】
上記一定の時間の長さは、プロトコル又は規制で規定された、ステーションがアンライセンスキャリアを占用するたびの宣言された時間長を含む。
【００７９】
上記予め設定された時間の長さは、準静的に設定された時間の長さ及び／又は動的に設定された時間の長さを含む。
【００８０】
代替的な実施例において、上記他のステーションが取得したアンライセンスキャリアの使用権は、ステーションがアンライセンスキャリアを占用する時間長内に有効であり、
前記ステーションが前記アンライセンスキャリアを占用する時間長内に有効であることは、
ステーションがアンライセンスキャリアを占用する時間長内における１つ又は複数のサブフレームにて有効であること、又は、ステーションがアンライセンスキャリアを占用する時間長内における１つ又は複数のスケジューリング単位にて有効であることを含む。
【００８１】
代替的な実施例において、上記ステーションがアンライセンスキャリアを占用し、且つ該ステーションが使用しないサブフレーム及び／又はスケジューリング単位は、他のステーションに使用される場合、該ステーションがサブフレーム及び／又はスケジューリング単位を再使用する必要があれば、該ステーションは、ＣＣＡ及び／又はｅＣＣＡを実行する必要がなく、直接サブフレーム及び／又はスケジューリング単位を使用する。
【００８２】
代替的な実施例において、該ステーションがアンライセンスキャリアを所定の粒状度で占用する、及び／又は、アンライセンスキャリアを宣言された時間長で占用した後、該ステーションが、アンライセンスキャリアを占用する時間長を含む占用時間長シグナリングにより他のステーションに報知することをさらに含む。
【００８３】
オプションとして、上記ステーションが占用時間長シグナリングを他のステーションに報知することは、該ステーションが、ＣＣＡ及び／又はｅＣＣＡの実行に成功したサブフレームを用いて占用時間長シグナリングを送信することと、該ステーションが、ＣＣＡ及び／又はｅＣＣＡの実行に成功したスケジューリング単位を用いて占用時間長シグナリングを送信することと、該ステーションが、予め約束した、ＣＣＡ及び／又はｅＣＣＡの実行に成功したサブフレームの次のサブフレームを用いて占用時間長シグナリングを送信することと、該ステーションが、予め約束した、ＣＣＡ及び／又はｅＣＣＡの実行に成功したスケジューリング単位の次のスケジューリング単位を用いて占用時間長シグナリングを送信することと、該ステーションが、アンライセンスキャリアの時間長におけるそれぞれのサブフレームを用いて占用時間長シグナリングを送信することと、該ステーションが、アンライセンスキャリアの時間長におけるそれぞれのスケジューリング単位を用いて占用時間長シグナリングを送信することと、のうち少なくとも一方により行われることができる。
【００８４】
オプションとして、上記ステーションが、アンライセンスキャリアの時間長におけるそれぞれのサブフレームを用いて占用時間長シグナリングを送信することは、ステーションが、該それぞれのサブフレームにて約束したリソース位置を用いて、共通の無線ネットワーク一時識別子（ＲＮＴＩ）の補助により、占用時間長シグナリングを送信することを含んでもよい。
【００８５】
代替的な実施例において、上記ステーションは、ＣＣＡ及び／又はｅＣＣＡを実行した後、信号エネルギーが存在しない物理リソースブロックＰＲＢの周波数領域と、信号エネルギーが存在しないリソースユニットＲＥの周波数領域と、信号エネルギーが存在しないサブキャリアの周波数領域と、のうち少なくとも一方の周波数帯域リソースを決定することができる。
【００８６】
オプションとして、上記ステーションは、上述信号エネルギーが存在しない周波数領域リソースを決定した後、信号エネルギーが存在しない周波数領域リソースのパターンに基づいて、アンライセンスキャリアを占用するステーションの属性を決定することをさらに含み、該ステーションの属性は、ステーションの所属する事業者情報と、ステーションが周波数再使用及び／又は多重化をサポートするか否かと、のうち少なくとも一方を含む。
【００８７】
代替的な実施例において、上記ステーションは、ＣＣＡ及び／又はｅＣＣＡを実行した後、信号エネルギーが存在するＰＲＢの周波数領域と、信号エネルギーが存在するＲＥの周波数領域と、信号エネルギーが存在するサブキャリアの周波数領域と、のうち少なくとも一方の周波数領域リソースを決定することもできる。
【００８８】
オプションとして、上記ステーションは、上記エネルギー信号が存在する周波数領域リソースを決定した後、信号エネルギーが存在する周波数領域リソースのパターンに基づいて、アンライセンスキャリアを占用するステーションの属性を決定することをさらに含み、該ステーションの属性は、ステーションの所属する事業者情報と、ステーションが周波数再使用及び／又は多重化をサポートするか否かと、のうち少なくとも一方を含む。
【００８９】
オプションとして、上記ステーションは、アンライセンスキャリアのステーションの属性情報を伝達する必要がある場合、ＣＣＡ及び／又はｅＣＣＡ検出を実行することにより、アンライセンスキャリアを占用するステーションの属性情報を伝達することができる。
【００９０】
以上の実施形態で説明したように、上記実施例による方法は、ソフトウェアとともに必要な汎用ハードウェアフラップフォームを介して実現されることができ、もちろんハードウェアによって実現されることもできるが、多くの場合、前者がより適切な実施形態であることは、当業者にとって明らかである。このような理解に基づいて、本発明の技術案は、本質上、或いは、関連技術に貢献する部分が、ソフトウェア製品の形で体現されることができ、このコンピュータソフトウェア製品は、記憶媒体（例えば、ＲＯＭ／ＲＡＭ、磁気ディスク、光ディスク）に記憶され、端末機器（携帯電話、コンピュータ、サーバ、又はネットワークデバイス等であってもよい）に本発明の各実施例の方法を実行させるための若干の命令を含む。
【００９１】
本実施例においてアンライセンスキャリアの占用装置も提供され、上記実施例及び代替的な実施形態を実現するものであって、既に説明したものは省略される。以下で使用する用語「モジュール」とは、所定の機能を実現可能なソフトウェア及び／又はハードウェアの組み合わせである。以下の実施例に説明する装置をソフトウェアで実現することが好ましいが、ハードウェア又はソフトウェアとハードウェアとの組み合わせにより実現することも可能であり、構想されている。
【００９２】
本発明の実施例においてコンピュータ記憶媒体がさらに提供され、コンピュータ記憶媒体には、上記アンライセンスキャリアの占用方法を実行するためのコンピュータ実行可能な命令が記憶されている。
【００９３】
図２は、本発明の実施例によるアンライセンスキャリアの処理装置の構造ブロック図であり、該装置はステーションに応用されることができ、図２に示されるように、該装置は、実行モジュール２２と、占用モジュール２４と、を備え、以下、該装置について説明する。
【００９４】
実行モジュール２２は、空きチャネル評価（ＣＣＡ）及び／又は拡張空きチャネル評価（ｅＣＣＡ）を実行する。占用モジュール２４は、上記実行モジュール２２に接続され、アンライセンスキャリアを所定の粒状度で占用する、及び／又は、アンライセンスキャリアを宣言された時間長で占用する。
【００９５】
代替的な実施例において、占用モジュールは、
サブフレームを粒状度として、前記アンライセンスキャリアを所定の粒状度で占用する、及び／又は、
長期的進化（ＬＴＥ）のタイムスロットと、１つ又は複数の直交周波数分割多重化（ＯＦＤＭ）シンボルとのうち少なくとも一方を含むスケジューリング単位を粒状度として、前記アンライセンスキャリアを所定の粒状度で占用する、及び／又は、
アンライセンスキャリアを宣言された時間長で占用する。
【００９６】
ステーションがアンライセンスキャリアを所定の粒状度で占用する、及び／又は、アンライセンスキャリアを宣言された時間長で占用する場合、該ステーションが、占用されるべきアンライセンスキャリアの時間長を決定することをさらに含む。この宣言された時間長は、決定された占用されるべきアンライセンスキャリアの時間長よりも小さいかそれと等しいものであることができる。
【００９７】
上記アンライセンスキャリアの時間長内のサブフレームのうち最後のサブフレームが、完全でないサブフレームである場合、ステーションが、アンライセンスキャリアの時間長内の最後のサブフレームを削除するか使用しないと決定し、即ち、ステーションが、アンライセンスキャリアの最後のサブフレームを占用しないか、占用するが使用しないと決定する。上記アンライセンスキャリアの時間長内における最初のサブフレームは完全でないサブフレームであることができ、それ以外のサブフレームはいずれも完全なサブフレームである。ここで、最初のサブフレームは完全でないサブフレームであってもよいし、完全なサブフレームであってもよい。上記アンライセンスキャリアの時間長内のスケジューリング単位のうち最後のサブフレームが、完全でないスケジューリング単位である場合、該ステーションが、アンライセンスキャリアの時間長内の最後のスケジューリング単位を削除するか使用しないと決定し、即ち、ステーションが、アンライセンスキャリアの最後のスケジューリング単位を占用しないか、占用するが使用しないと決定する。上記アンライセンスキャリアの時間長内における最初のスケジューリング単位は完全でないスケジューリング単位であることができ、それ以外のサブフレームはいずれも完全なスケジューリング単位である。ここで、最初のスケジューリング単位は完全でないスケジューリング単位であってもよいし、完全なスケジューリング単位であってもよい。
【００９８】
上記時間長内のサブフレームのうち最後のサブフレームが、完全でないサブフレームである場合、この最後のサブフレームの全時間長が、上記アンライセンスキャリアの時間長内に含まれており、且つ上記アンライセンスキャリアの時間長が、規制又はプロトコルで規定された最大時間長を超えていなければ、上記ステーションが、最後のサブフレームの全時間長を含むすべてのサブフレームの時間長を占用し使用すると決定する。上記アンライセンスキャリアの時間長内のスケジューリング単位のうち最後のスケジューリング単位が、完全でないスケジューリング単位である場合、最後のスケジューリング単位の全時間長が、上記時間長内に含まれており、且つ該アンライセンスキャリアの時間長が、規制又はプロトコルで規定された最大時間長を超えていなければ、上記ステーションが、最後のスケジューリング単位の全時間長を含むすべてのスケジューリング単位の時間長を占用し使用すると決定する。
【００９９】
代替的な実施例において、上記宣言された時間長が、時間量、一定の時間の長さ、予め設定された時間の長さのうち少なくとも一方であることができる場合、該宣言された時間長は、
上記宣言された時間長の最初のサブフレーム又は最初のスケジューリング単位の実際の占用時間長を除いた残余の占用時間長を、サブフレームの時間長又はスケジューリング単位の時間長で割って商が得られ、得られた商を切り下げるか切り上げることで得た実際の占用時間長が対応するサブフレーム又はスケジューリング単位、を含む。
【０１００】
代替的な実施例において、本発明の実施例は、
上記ステーションがアンライセンスキャリアを占用する場合、上記ステーションは、アンライセンスキャリアについて優先的な使用権を有することと、
上記ステーションがアンライセンスキャリアを占用する場合、上記ステーションは、他のステーションがアンライセンスキャリアを使用することを許可することができ、他のステーションが上記アンライセンスキャリアを使用する必要がある場合、他のステーションは、上記ステーションがアンライセンスキャリアを占用する時間長内に、ＣＣＡ及び／又はｅＣＣＡを実行することで、アンライセンスキャリアを使用する使用権を取得することと、
上記他のステーションが上記ステーションによる占用時間長内に実行するＣＣＡ及び／又はｅＣＣＡは、上記ステーションが当該アンライセンスキャリアを先取的に占有するＣＣＡ及び／又はｅＣＣＡよりも先取占有確率が高い高優先度のＣＣＡ及び／又はｅＣＣＡであることと、のうち少なくとも一方をさらに含む。
【０１０１】
代替的な実施例において、上記アンライセンスキャリアを占有する時間長の時間長パラメータは、ステーションがＣＣＡ及び／又はｅＣＣＡを実行することに成功したサブフレームから連続する占用されるサブフレーム（該ＣＣＡ及び／又はｅＣＣＡの実行に成功したサブフレームは、上記アンライセンスキャリアの時間長に含まれるか含まれない）と、ステーションがＣＣＡ及び／又はｅＣＣＡを実行することに成功したスケジューリング単位から連続する占用されるスケジューリング単位（該ＣＣＡ及び／又はｅＣＣＡの実行に成功したスケジューリング単位は、上記アンライセンスキャリアの時間長に含まれるか含まれない）と、ステーションが決定した、ＣＣＡ及び／又はｅＣＣＡの実行に成功したＯＦＤＭシンボルから占用されるＯＦＤＭシンボルと、ステーションが決定した、現在サブフレームに対して残存する占用されるべきサブフレームと、ステーションが決定した、現在スケジューリング単位に対して残存する占用されるべきスケジューリング単位と、ステーションが決定した、現在ＯＦＤＭシンボルに対して残存する占用されるべきＯＦＤＭシンボルと、ステーションが決定した、現在サブフレームに対してその後のアンライセンスキャリアを占用する時間長内の最後のサブフレームのサブフレーム番号と、ステーションが決定した、現在スケジューリング単位に対してその後のアンライセンスキャリアを占用する時間長内の最後のスケジューリング単位の番号と、のうち少なくとも一方を含む。
【０１０２】
上記時間長パラメータは、ステーションがＣＣＡ及び／又はｅＣＣＡを実行することに成功したサブフレームから連続する占用されるサブフレームを含む場合、該時間長パラメータは、連続する占用されるサブフレームのうち最後のサブフレームにおける占用されるＯＦＤＭシンボルをさらに含み、上記時間長パラメータは、ステーションがＣＣＡ及び／又はｅＣＣＡを実行することに成功したスケジューリング単位から連続する占用されるスケジューリング単位を含む場合、該時間長パラメータは、連続する占用されるスケジューリング単位のうち最後のスケジューリング単位における占用されるＯＦＤＭシンボルをさらに含み、上記時間長パラメータは、ステーションが決定した、現在サブフレームに対して残存する占用されるべきサブフレームを含む場合、該時間長パラメータは、残存する占用されるべきサブフレームのうち最後のサブフレームにおける占用されるＯＦＤＭシンボルをさらに含み、上記時間長パラメータは、ステーションが決定した、現在スケジューリング単位に対して残存する占用されるべきスケジューリング単位を含む場合、該時間長パラメータは、残存する占用されるべきスケジューリング単位のうち最後のスケジューリング単位における占用されるＯＦＤＭシンボルをさらに含み、上記時間長パラメータは、ステーションが決定した、現在サブフレームに対してその後のアンライセンスキャリアを占用する時間長内の最後のサブフレームのサブフレーム番号を含む場合、該時間長パラメータは、最後のサブフレームにおける占用されるＯＦＤＭシンボルをさらに含み、上記時間長パラメータは、ステーションが決定した、現在スケジューリング単位に対してその後のアンライセンスキャリアを占用する時間長内の最後のスケジューリング単位の番号を含む場合、該時間長パラメータは、最後のスケジューリング単位における占用されるＯＦＤＭシンボルをさらに含む。
【０１０３】
代替的な実施例において、上記ステーションがＣＣＡ及び／又はｅＣＣＡを実行することは、ステーションが、ＣＣＡ及び／又はｅＣＣＡを実行されるサブフレームにおける先頭からの所定数のＯＦＤＭシンボルにおいてＣＣＡ及び／又はｅＣＣＡを実行すること、を含む。
【０１０４】
代替的な実施例において、上記ステーションが、アンライセンスキャリアの時間長内の最後のサブフレームを削除するか使用しないと決定する、及び／又は、ステーションが、アンライセンスキャリアの時間長内の最後のスケジューリング単位を削除するか使用しないと決定する場合、ＣＣＡ及び／又はｅＣＣＡを実行することは、
該ステーション又は他のステーション（例えば、該ステーションに従属する下位ＵＥ）が、最後のサブフレーム及び／又は最後のスケジューリング単位においてＣＣＡ及び／又はｅＣＣＡを実行すること、及び／又は、ステーションから許可を得たステーションが、最後のサブフレーム及び／又は最後のスケジューリング単位においてＣＣＡ及び／又はｅＣＣＡを実行すること、を含む。
【０１０５】
代替的な実施例において、本発明の実施例は、
ステーションが、アンライセンスキャリアの時間長内の最後のサブフレームを削除するか使用しないと決定する、及び／又は、ステーションが、アンライセンスキャリアの時間長内の最後のスケジューリング単位を削除するか使用しないと決定する場合、
該ステーションが、最後のサブフレーム及び／又は最後のスケジューリング単位を用いたデータ送信を行わないことをさらに含む。
【０１０６】
代替的な実施例において、ＣＣＡ及び／又はｅＣＣＡの実行に成功したサブフレーム及び／又はスケジューリング単位が、上記時間長に含まれる場合、ＣＣＡ及び／又はｅＣＣＡの実行に成功したサブフレーム及び／又はスケジューリング単位全体を１つのサブフレーム又はスケジューリング単位として、上記アンライセンスキャリアの時間長内の算定対象とする、及び／又は、ＣＣＡ及び／又はｅＣＣＡの実行に成功したサブフレーム及び／又はスケジューリング単位のうち、ＣＣＡ及び／又はｅＣＣＡを実行するタイミングから該サブフレーム又はスケジューリング単位が終了するまでのサブフレーム又はスケジューリング単位を、上記アンライセンスキャリアの時間長内の算定対象とする。
【０１０７】
代替的な実施例において、上記アンライセンスキャリアの時間長の終了タイミングは、所定のサブフレーム又はスケジューリング単位の終了境界タイミングである。
【０１０８】
代替的な実施例において、上記ステーションは、アンライセンスキャリアを占用する時に、他のステーションが該ステーションとの間で多重化方式でアンライセンスキャリア上のリソースを使用することを許可し、或いは、該ステーションは、他のステーションが単独で該アンライセンスキャリア上のリソースを使用することを許可し、上記多重化方式は、周波数分割多重化、時分割多重化、空間分割多重化、符号分割多重化のうち少なくとも一方を含み、他のステーションが上記多重化方式でアンライセンスキャリア上のリソースを使用する場合、該他のステーションは、まず最初にＣＣＡ及び／又はｅＣＣＡを実行する必要があり、ＣＣＡ及び／又はｅＣＣＡを実行することに成功してから、リソースの多重化を行う。上記他のステーションがＣＣＡ及び／又はｅＣＣＡを実行することは、該他のステーションが、約束した周波数リソースパターンに従ってＣＣＡ及び／又はｅＣＣＡを実行することを含み、該約束した周波数リソースパターンは、約束した物理リソースブロック（ＰＲＢ）、約束したリソース単位（ＲＥ）、約束したサブキャリアのうち少なくとも一方を含む。
【０１０９】
アンライセンスキャリアを宣言された時間長で占用し、且つ該宣言された時間長は、宣言された時間長の最初のサブフレーム又は最初のスケジューリング単位の実際の占用時間長を除いた残余の占用時間長を、サブフレームの時間長又はスケジューリング単位の時間長で割って商が得られ、得られた商を切り下げるか切り上げることで得た実際の占用時間長が対応するサブフレーム又はスケジューリング単位、を含む場合、オプションとして、得られた商を切り上げた後、実際の占用時間長が、規制又はプロトコルで規定された最大時間長を超えていなければ、該ステーションが宣言された時間長を切り上げることにより決定し、得られた商を切り上げた後、実際の占用時間長が、規制又はプロトコルで規定された最大時間長を超えていれば、該ステーションが宣言された時間長を切り下げることにより決定するようにしてもよい。
【０１１０】
上記時間量は、ステーションが、前記アンライセンスキャリアを占用する時間長を記述するシグナリングに含ませた、前記アンライセンスキャリアの時間長の数値を含み、前記数値は、時間単位を次元とする時間量である。
【０１１１】
上記一定の時間の長さは、プロトコル又は規制で規定された、ステーションがアンライセンスキャリアを占用するたびの宣言された時間長を含む。
【０１１２】
上記予め設定された時間の長さは、準静的に設定された時間の長さ及び／又は動的に設定された時間の長さを含む。
【０１１３】
代替的な実施例において、上記他のステーションが取得したアンライセンスキャリアの使用権は、ステーションがアンライセンスキャリアを占用する時間長内に有効であり、
ステーションが前記アンライセンスキャリアを占用する時間長内に有効であることは、
ステーションがアンライセンスキャリアを占用する時間長内における１つ又は複数のサブフレームにて有効であること、又は、ステーションがアンライセンスキャリアを占用する時間長内における１つ又は複数のスケジューリング単位にて有効であることを含む。
【０１１４】
代替的な実施例において、上記ステーションがアンライセンスキャリアを占用し、且つ該ステーションが使用しないサブフレーム及び／又はスケジューリング単位は、他のステーションに使用される場合、該ステーションがサブフレーム及び／又はスケジューリング単位を再使用する必要があれば、該ステーションは、ＣＣＡ及び／又はｅＣＣＡを実行する必要がなく、直接サブフレーム及び／又はスケジューリング単位を使用する。
【０１１５】
代替的な実施例において、該ステーションがアンライセンスキャリアを所定の粒状度で占用する、及び／又は、アンライセンスキャリアを宣言された時間長で占用した後、該ステーションが、アンライセンスキャリアを占用する時間長を含む占用時間長シグナリングにより他のステーションに報知することをさらに含む。
【０１１６】
オプションとして、上記ステーションが占用時間長シグナリングを他のステーションに報知することは、該ステーションが、ＣＣＡ及び／又はｅＣＣＡの実行に成功したサブフレームを用いて占用時間長シグナリングを送信することと、該ステーションが、ＣＣＡ及び／又はｅＣＣＡの実行に成功したスケジューリング単位を用いて占用時間長シグナリングを送信することと、該ステーションが、予め約束した、ＣＣＡ及び／又はｅＣＣＡの実行に成功したサブフレームの次のサブフレームを用いて占用時間長シグナリングを送信することと、該ステーションが、予め約束した、ＣＣＡ及び／又はｅＣＣＡの実行に成功したスケジューリング単位の次のスケジューリング単位を用いて占用時間長シグナリングを送信することと、該ステーションが、アンライセンスキャリアの時間長におけるそれぞれのサブフレームを用いて占用時間長シグナリングを送信することと、該ステーションが、アンライセンスキャリアの時間長におけるそれぞれのスケジューリング単位を用いて占用時間長シグナリングを送信することと、のうち少なくとも一方により行われることができる。
【０１１７】
オプションとして、上記ステーションが、時間長におけるそれぞれのサブフレームを用いて占用時間長シグナリングを送信することは、ステーションが、該それぞれのサブフレームにて約束したリソース位置を用いて、共通の無線ネットワーク一時識別子（ＲＮＴＩ）の補助により、占用時間長シグナリングを送信することを含んでもよい。
【０１１８】
代替的な実施例において、上記ステーションは、ＣＣＡ及び／又はｅＣＣＡを実行した後、信号エネルギーが存在しない物理リソースブロックＰＲＢの周波数領域と、信号エネルギーが存在しないリソースユニットＲＥの周波数領域と、信号エネルギーが存在しないサブキャリアの周波数領域と、のうち少なくとも一方の周波数帯域リソースを決定することができる。
【０１１９】
オプションとして、上記ステーションは、上述信号エネルギーが存在しない周波数領域リソースを決定した後、信号エネルギーが存在しない周波数領域リソースのパターンに基づいて、アンライセンスキャリアを占用するステーションの属性を決定することをさらに含み、該ステーションの属性は、ステーションの所属する事業者情報と、ステーションが周波数再使用及び／又は多重化をサポートするか否かと、のうち少なくとも一方を含む。
【０１２０】
代替的な実施例において、上記ステーションは、ＣＣＡ及び／又はｅＣＣＡを実行した後、信号エネルギーが存在するＰＲＢの周波数領域と、信号エネルギーが存在するＲＥの周波数領域と、信号エネルギーが存在するサブキャリアの周波数領域と、のうち少なくとも一方の周波数領域リソースを決定することもできる。
【０１２１】
オプションとして、上記ステーションは、上記エネルギー信号が存在する周波数領域リソースを決定した後、信号エネルギーが存在する周波数領域リソースのパターンに基づいて、アンライセンスキャリアを占用するステーションの属性を決定することをさらに含み、該ステーションの属性は、ステーションの所属する事業者情報と、ステーションが周波数再使用及び／又は多重化をサポートするか否かと、のうち少なくとも一方を含む。
【０１２２】
オプションとして、上記ステーションは、アンライセンスキャリアのステーションの属性情報を伝達する必要がある場合、ＣＣＡ及び／又はｅＣＣＡ検出を実行することにより、アンライセンスキャリアを占用するステーションの属性情報を伝達することができる。
【０１２３】
図３は、本発明の他の実施例によるアンライセンスキャリアの処理方法のフローチャートであり、図３に示されるように、以下を含む。
【０１２４】
ステップ３０２：ステーションが空きチャネル評価（ＣＣＡ）及び／又は拡張空きチャネル評価（ｅＣＣＡ）を実行する。
【０１２５】
ステップ３０４：ステーションがアンライセンスキャリアを所定の粒状度で占用する。
【０１２６】
ステップ３０６：ステーションが、アンライセンスキャリアを占用する時間長に基づいて、シグナリングを構成して送信する。
【０１２７】
シグナリングは、ステーションがアンライセンスキャリアを占用する時間長内の最後のサブフレームにおける占用されるＯＦＤＭシンボルに対する記述を含む。
【０１２８】
オプションとして、ステーションがアンライセンスキャリアを所定の粒状度で占用することは、
ステーションが、サブフレームを粒状度としてアンライセンスキャリアを占用することと、
ステーションが、長期的進化ＬＴＥのタイムスロットと、１つ又は複数の直交周波数分割多重化ＯＦＤＭシンボルとのうち少なくとも一方を含むスケジューリング単位を粒状度としてアンライセンスキャリアを占用することと、のうち少なくとも一方を含んでもよい。
【０１２９】
オプションとして、ステーションがシグナリングを送信することは、
ステーションがアンライセンスキャリアの時間長内の１つ又は複数のサブフレームを用いてシグナリングを送信すること、及び／又は、
ステーションがアンライセンスキャリアの時間長内のそれぞれのサブフレームにおいてシグナリングを送信すること、を含んでもよい。
【０１３０】
オプションとして、ステーションがシグナリングを送信することは、
ステーションがアンライセンスキャリアの時間長内のサブフレームにて約束したリソース位置で共通のＲＮＴＩの補助により、シグナリングを送信することを含んでもよい。
【０１３１】
オプションとして、ステーションがシグナリングを送信することは、
ステーションが、アンライセンスキャリアの時間長内のサブフレームにおいて、物理下り制御チャネル（ＰＤＣＣＨ）又は拡張物理下り制御チャネル（ｅＰＤＣＣＨ）の共通探索領域を用いてシグナリングを送信することを含んでもよい。
【０１３２】
本発明の実施例の方法は、アンライセンスキャリアの時間長内のサブフレームのうち最後のサブフレームが完全なサブフレームである場合、シグナリングで、最後のサブフレームのすべてのＯＦＤＭシンボルが占用されることを記述すること、をさらに含む。
【０１３３】
オプションとして、アンライセンスキャリアの時間長内のサブフレームが上りサブフレーム、下りサブフレームを含む場合、ステーションの占用するサブフレームは、下りサブフレームのみを含むか、又は、上りサブフレームのみを含むか、又は、上りサブフレーム及び下りサブフレームの双方を含んでもよい。
【０１３４】
オプションとして、アンライセンスキャリアの時間長内のサブフレームのうち最後のサブフレームが完全でないサブフレームである場合、シグナリングで、最後のサブフレームにおける占用されるＯＦＤＭシンボルを記述してもよい。
【０１３５】
図４は、本発明の更なる実施例のアンライセンスキャリアの処理方法のフローチャートであり、図４に示されるように、以下を含む。
【０１３６】
ステップ４０２：ステーションから送信された、アンライセンスキャリアを占用する時間長のシグナリングを受信し解析する。
【０１３７】
ステップ４０４：解析されたシグナリングに基づいて、時間長内の最後のサブフレームにおける占用される直交周波数分割多重化ＯＦＤＭシンボルを決定する。
【０１３８】
シグナリングは、ステーションがアンライセンスキャリアを占用する時間長内の最後のサブフレームにおける占用されるＯＦＤＭシンボルに対する記述を含む。
【０１３９】
なお、本発明の実施例は、アンライセンスキャリアを占用する時間長のシグナリングを送信するステーション以外のステーションにより実施されることができ、他のステーションは、アンライセンスキャリアを占用する時間長のシグナリングを送信するステーションに従属する下位ＵＥを含むことができる。
【０１４０】
本発明の実施例においてコンピュータ記憶媒体がさらに提供され、コンピュータ記憶媒体には、上記アンライセンスキャリアの処理方法を実行するためのコンピュータ実行可能な命令が記憶されている。
【０１４１】
図５は、本発明の他の実施例のアンライセンスキャリアの処理装置の構造ブロック図であり、本発明の実施例の装置はステーションに応用され、図５に示されるように、
実行モジュール２２は、空きチャネル評価（ＣＣＡ）及び／又は拡張空きチャネル評価（ｅＣＣＡ）を実行する。
【０１４２】
キャリア占用モジュール２６は、アンライセンスキャリアを所定の粒状度で占用する。
【０１４３】
送信モジュール２８は、アンライセンスキャリアを占用する時間長に基づいて、シグナリングを構成して送信する。
【０１４４】
シグナリングは、ステーションがアンライセンスキャリアを占用する時間長内の最後のサブフレームにおける占用される直交周波数分割多重化ＯＦＤＭシンボルに対する記述を含む。
【０１４５】
図６は、本発明の更なる実施例のアンライセンスキャリアの処理装置のフローチャートであり、図６に示されるように、以下を含む。
【０１４６】
受信モジュール６２は、ステーションから送信された、アンライセンスキャリアを占用する時間長のシグナリングを受信し解析する。
【０１４７】
決定モジュール６４は、解析されたシグナリングに基づいて、時間長内の最後のサブフレームにおける占用されるＯＦＤＭシンボルを決定する。
【０１４８】
シグナリングは、ステーションがアンライセンスキャリアを占用する時間長内の最後のサブフレームにおける占用されるＯＦＤＭシンボルに対するものを含む。
【０１４９】
なお、本発明の実施例の装置は、アンライセンスキャリアを占用する時間長のシグナリングを送信するステーション以外のステーションに設けられたり、アンライセンスキャリアを占用する時間長のシグナリングを送信するステーション以外のステーションに接続されたりすることができ、他のステーションは、アンライセンスキャリアを占用する時間長のシグナリングを送信するステーションに従属する下位ＵＥを含むことができる。
【０１５０】
以下、具体的な実施例を結合して本発明の実施形態を詳しく説明し、これにより、本発明がどのような技術的手段を応用して技術課題を解決し、技術効果を達成するかの実現過程を十分に理解し、これに基づいて実施する。
【０１５１】
ＬＴＥは、アンライセンスキャリアに配置され、ＬＴＥの研究及び進化中に、ライセンス補助アクセス（License Assisted Access、単にＬＡＡという）システムと呼ばれる。本願では、ＬＴＥを結合してサブフレーム（時間長１ｍｓ）を単位とするスケジューリング規則に基づいて、異なる適当なアンライセンスキャリアの占用時間長の起点を定義したうえで、占用時間長を決定するシグナリングの設計を提供することが考えられる。そして、異なる起点の定義及び占用時間長の記述方式が異なることで、所定のＬＢＴの仕組み同士の協働がより合理的なものになる。
【０１５２】
一つの可能なＬＡＡのリッスン・ビフォア・トーク（listen-before-talk、単にＬＢＴという）の仕組みについては図７を参照し、図７は、本発明の実施例によるＬＢＴの仕組みを示す図である。図３において、主として、ＣＣＡ及び／又はｅＣＣＡ（後文ではＣＣＡ／ｅＣＣＡと記する）の実行位置は、ＬＴＥのフレーム構造において固定される。ＣＣＡ／ｅＣＣＡの実行は、サブフレームの開始位置から開始し、且つサブフレームにおける先頭からの一部のＯＦＤＭシンボルにて実行されることしかできず、サブフレームは、それ以外の時間ではＣＣＡ／ｅＣＣＡ検出を実行することが許可されず、それぞれのサブフレームはいずれも上記ＣＣＡ／ｅＣＣＡ検出をサポートする。このようなＬＢＴの仕組みは、ＬＴＥのフレーム構造及びデータマッピング転送に対して簡単であり、実現されやすい。しかし、このようなメカニズムには問題があり、改良され整備される必要がある。例えば、ＬＡＡステーションによる占用時間長内に、最後のものが完全でないサブフレームである場合、ステーションが先頭からの一部の占用時間長のＯＦＤＭシンボルを用いてデータを送信するが、しかし、このサブフレームにおいて、他のＬＡＡステーションは、該サブフレームの対応するチャネルが使用中であると検出することから、次のサブフレームが出なければ再びＣＣＡ／ｅＣＣＡ検出を実行しなく、この場合、該サブフレームが占用していない、ＬＡＡステーションが使用するＯＦＤＭシンボルは無駄になり、且つこの場合、ＷＩＦＩシステムによりＣＣＡ／ｅＣＣＡ検出が実行されてチャネルを容易に奪われてしまう。
【０１５３】
以下、占用時間長及び占用リソースの設計方法を提供し、この方法は、上記ＬＢＴの仕組みとよりよく協働することができる他、他のＬＢＴの仕組みに使用されることもできる。実施形態の理解は図８を参照することができ、図８は、本発明の実施例による占用時間長及び占用リソースを示す図である。図８にはいくつかの異なる方式が含まれ、以下、これらについて説明する。
方式１
ステーションがＣＣＡ及び／又はｅＣＣＡを実行することに成功した後、ステーションは、サブフレームを粒状度として、或いはスケジューリング単位Ａ（後文では、特に説明しない限り、サブフレームはいずれもスケジューリング単位Ａによって置き換えられることができ、この場合でも、方案が実施可能である）を粒状度としてアンライセンスキャリアを占用し使用する。占用時間長内のサブフレーム又はスケジューリング単位Ａにおける最後のサブフレーム又はスケジューリング単位Ａは、完全でないサブフレーム（該サブフレームを完全に占用しない時間方向）又は完全でないスケジューリング単位Ａである場合、プロトコルにより、ステーションが占用時間長から最後のサブフレーム又はスケジューリング単位Ａを除去するか、或いは、ステーションによる占用時間長内において、最初のサブフレーム又はスケジューリング単位Ａが完全でないサブフレーム又は完全でないスケジューリング単位Ａになり得る以外に、ステーションによる占用時間長内の残余時間長において、若干の完全なＬＴＥサブフレーム又はスケジューリング単位Ａのみを占用することができる、と約束する(ここでは、実際には、若干の完全なＬＴＥサブフレーム又はスケジューリング単位Ａとは、既存ＬＴＥのサブフレーム又はスケジューリング単位Ａであり、残余時間長が若干の完全なＬＴＥサブフレーム又はスケジューリング単位Ａの累積時間長に等しいものではない。例えば、ステーションが算出した結果、必要な残余時間長がちょうど若干のサブフレームに等しいものにはならない場合、数個のサブフレーム又はスケジューリング単位Ａを切り下げるしかできない)。
【０１５４】
ステーションは、それぞれのサブフレームの先頭からのＮ個のＯＦＤＭシンボルにてＣＣＡ／ｅＣＣＡを実行し、他の期間にはＣＣＡ／ｅＣＣＡを実行しないことにする。先頭からのＮ個のＯＦＤＭシンボルの範囲は、動的又は準静的に変化するか、予め設定されたトリガー条件に基づいて、ＣＣＡ／ｅＣＣＡを実行するステーションによって調整されることもできる。
【０１５５】
ステーションによる占用時間長内のサブフレームが上り、下りサブフレームを含む場合、ＬＡＡステーションが占用する時間長は、下りサブフレームのみを含むか、又は、上りサブフレームのみを含むか、又は、占用時間長が上り及び下りサブフレームの総和を含む。
【０１５６】
ステーションが最後のサブフレーム又はスケジューリング単位Ａを使用しない場合、他のステーション又は本ステーションがそれに対してＣＣＡ／ｅＣＣＡを実行してリソースを先取的に占用することができる。或いは、本ステーションが最後のサブフレーム又はスケジューリング単位Ａを用いたデータ送信を行わないが、データを受信することができる。或いは、本ステーションから許可を得たステーションがそれに対してＣＣＡ／ｅＣＣＡを実行する。
【０１５７】
ステーションが占用時間長を算出する時に、ＣＣＡ／ｅＣＣＡの実行に成功したサブフレーム又はスケジューリング単位Ａ全体の時間長をステーションによる占用期間内の算定対象とし、つまり、ＣＣＡ／ｅＣＣＡ過程を実行されるサブフレーム又はスケジューリング単位の開始時点を占用時間長の起点とする必要がある。或いは、ステーションが占用時間長を算出する時に、ＣＣＡ／ｅＣＣＡの実行に成功したタイミングを占用時間長の起点とする。或いは、ステーションが占用時間長を算出する時に、ＣＣＡ／ｅＣＣＡの実行に成功したサブフレームが対応するＯＦＤＭシンボルの時間長全体をステーションによる占用期間内の算定対象とし、つまり、ＣＣＡ／ｅＣＣＡの実行に成功したＯＦＤＭシンボルの起点を占用時間長の起点とする。
【０１５８】
スケジューリング単位Ａが、ＬＴＥのタイムスロット又はＬＴＥのＯＦＤＭシンボルを含み、また、若干のシンボルを組み合わせて１つのスケジューリング単位Ａになるようにしてもよい。
【０１５９】
ＣＣＡ／ｅＣＣＡを実行することに成功したステーションは占用時間長シグナリングを送信し、シグナリングを以下のように設計することができ、上記方式に対して、対応するシグナリングを以下のように設計する。
【０１６０】
ステーションによる占用時間長のシグナリングで、ステーションによる占用時間長の情報がサブフレーム又はスケジューリング単位Ａの数であることを記述する場合、シグナリングで、占用されるサブフレームの数がＣＣＡ／ｅＣＣＡの実行に成功したサブフレーム又はスケジューリング単位Ａを含むことを記述する、とプロトコルにより約束することができる。或いは、シグナリングで、占用されるサブフレームの数がＣＣＡ／ｅＣＣＡの実行に成功したサブフレーム又はスケジューリング単位Ａを含むものではなく、その以降のサブフレーム又はスケジューリング単位Ａから始まるものであることを記述する、とプロトコルにより約束することができる。後者である場合、ステーションは、シグナリングで記述される時間長に、ＣＣＡ／ｅＣＣＡの実行に成功したサブフレーム又はスケジューリング単位Ａの時間長を加算したものが、規制又はプロトコルで規定された単回占用する最大時間長を超えないように保証する必要がある。
【０１６１】
シグナリングの設計は、以下のようなものである。
【０１６２】
オプション１：占用時間長のシグナリングは、ＣＣＡ及び／又はｅＣＣＡの実行に成功したサブフレームから連続するどれぐらいのサブフレームが占用されるかを記述するパラメータ１と、パラメータ１で記述されるサブフレームのうち最後のサブフレームにおける先頭からのどれぐらいのＯＦＤＭシンボルが、占用時間長内のものであるかを記述するパラメータ２とを含む。パラメータ２を送信しても送信しなくてもよく、例えば、最後のサブフレームにおけるすべてのＯＦＤＭシンボルが、占用時間長内のものである場合、パラメータ２を送信しなくてもよい。ＣＣＡ及び／又はｅＣＣＡの実行に成功したサブフレームは、占用時間長内に含まれる（占用時間長内に含まれなくてもよいのは明らかであり、この場合、類似した処理を行い、ここではその説明を省略する）。
【０１６３】
オプション２：占用時間長のシグナリングは、ＣＣＡ及び／又はｅＣＣＡの実行に成功したスケジューリング単位Ａから連続するどれぐらいのスケジューリング単位Ａが占用されるかを記述するパラメータ３と、パラメータ３で記述されるスケジューリング単位のうち最後のスケジューリング単位Ａにおける先頭からのどれぐらいのＯＦＤＭシンボルが、占用時間長内のものであるかを記述するパラメータ４とを含む。パラメータ４を送信しても送信しなくてもよく、例えば、最後のスケジューリング単位におけるすべてのＯＦＤＭシンボルが、占用時間長内のものである場合、パラメータ４を送信しなくてもよい。ＣＣＡ及び／又はｅＣＣＡの実行に成功したスケジューリング単位Ａは、占用時間長内に含まれる（占用時間長内に含まれなくてもよいのは明らかであり、この場合、類似した処理を行い、ここではその説明を省略する）。この場合、スケジューリング単位Ａはタイムスロットであることができる（ＬＴＥのタイムスロットが０．５ｍｓである）。
【０１６４】
オプション３：占用時間長のシグナリングは、ＣＣＡ及び／又はｅＣＣＡの実行に成功したＯＦＤＭから連続するどれぐらいのＯＦＤＭが占用されるかを記述するパラメータ５を含む。ＣＣＡ及び／又はｅＣＣＡの実行に成功したＯＦＤＭは、占用時間長内に含まれる（占用時間長内に含まれなくてもよいのは明らかであり、この場合、類似した処理を行い、ここではその説明を省略する）。
【０１６５】
オプション４：占用時間長のシグナリングは、現在のサブフレーム又はスケジューリング単位Ａ又はＯＦＤＭシンボルに対して、占用されるべきサブフレーム又はスケジューリング単位Ａ又はＯＦＤＭシンボルがどれぐらい残るかを記述するパラメータ６（現在のサブフレームを含まない。現在のサブフレームを含む場合、類似した処理を行い、ここではその説明を省略する）と、上記パラメータ６で記述される最後のサブフレーム又はスケジューリング単位Ａにおける先頭からのどれぐらいのＯＦＤＭシンボルが占用時間長内のものであるかを記述するパラメータ７（ＯＦＤＭシンボルがどれぐらい残るかについて、パラメータ７を含まない）とを含む。パラメータ７を送信しても送信しなくてもよく、最後のサブフレームにおけるすべてのＯＦＤＭシンボルが、占用時間長内のものである場合、パラメータ７を送信しなくてもよい。ＣＣＡ及び／又はｅＣＣＡの実行に成功したサブフレームは占用時間長内に含まれる（占用時間長内に含まれなくてもよいのは明らかであり、この場合、類似した処理を行い、ここではその説明を省略する）。
【０１６６】
オプション５：占用時間長のシグナリングは、現在のサブフレーム又はスケジューリング単位Ａに対してその後の占用時間長内の最後のサブフレームのサブフレーム番号又はスケジューリング単位Ａの番号を記述するパラメータ８と、上記パラメータ８で記述される最後のサブフレーム又はスケジューリング単位Ａにおける先頭からのどれぐらいのＯＦＤＭシンボルが占用時間長内に含まれるかを記述するパラメータ９とを含む。パラメータ９を送信しても送信しなくてもよく、最後のサブフレームにおけるすべてのＯＦＤＭシンボルが占用時間長内のものである場合、パラメータ９を送信しなくてもよい。ＣＣＡ及び／又はｅＣＣＡの実行に成功したサブフレームは占用時間長内に含まれる（占用時間長内に含まれなくてもよいのは明らかであり、この場合、類似した処理を行い、ここではその説明を省略する）。占用されるサブフレームは連続して占用される。
【０１６７】
以下、占用時間長シグナリングにおけるサブフレーム又はスケジューリング単位が送信される位置について説明する。
【０１６８】
占用時間長のシグナリングは、ＣＣＡ／ｅＣＣＡの実行に成功したサブフレーム又はスケジューリング単位Ａにて送信されることができ、或いは、ＣＣＡ／ｅＣＣＡの実行に成功したサブフレーム又はスケジューリング単位Ａの次のサブフレーム又はスケジューリング単位Ａにて送信されると約束する。オプション４及び５の場合、占用期間のそれぞれのサブフレーム又はスケジューリング単位Ａにて送信されてもよく、このようにして、占用期間における最初のサブフレーム又は前のサブフレームを見逃した他のステーションにより継続して受信されることができる。オプションとして、それぞれのサブフレームに約束したリソース位置は共通のＲＮＴＩの補助により送信されてもよい。例えば、ＰＤＣＣＨ又はｅＰＤＣＣＨの共通探索領域により送信される。
【０１６９】
ステーションは、占用時間長内に他のステーションが自分との間で多重化方式（周波数分割多重化、時分割多重化、符号分割多重化、空間分割多重化を含む）により該占用期間のアンライセンスキャリアリソースを使用することを許可するか、他のステーションが単独で該占用期間のリソースを使用することを許可する。
【０１７０】
ステーションによる占用時間長のシグナリングで、ステーションによる占用時間長の情報が時間量であることを記述する場合、例えば、Ｎミリ秒（Ｎが必ずしも整数であるとは限らない）占用する場合、占用時間長の起点は、上記方式と同じである。この場合、占用時間長の異なる起点によって、ステーションは、下記方式により、実際に占用するサブフレーム又はスケジューリング単位Ａを算出する必要がある。
【０１７１】
占用時間長の時間量から、ＣＣＡ／ｅＣＣＡの実行に成功したサブフレーム又はスケジューリング単位Ａにおける占用時間長（実際には、約束した占用時間長の起点によって区分する必要がある）を除いた残余の時間長を、サブフレーム又はスケジューリング単位Ａの時間長で割り、得られた数値を切り下げて、ステーションが実際に占用するサブフレーム又はスケジューリング単位Ａの数とする。
【０１７２】
ステーションがＣＣＡ及び／又はｅＣＣＡを実行することに成功した後、ステーションは、サブフレームを粒状度として、或いは、スケジューリング単位Ａを粒状度としてアンライセンスキャリアを占用し使用する。
【０１７３】
占用時間長の記述は、２段階構造による記述を用い、占用されるサブフレームの状況に対する第１段階の記述は、上記方式を用いることができる。４個を超えないビットを用いた第１段階の記述が可能である。それは、最大の占用時間長は地域によって異なり、例えば、ヨーロッパでは１０ミリ秒（ｍｓ）又は１３ｍｓであり、日本では４ｍｓであるからである。第２段階の記述は、占用されるサブフレームのうち最後のサブフレームにおける先頭からのどれぐらいの連続するＯＦＤＭシンボルが占用時間長内に含まれるかである。
【０１７４】
或いは、占用時間長の記述は、時間量による記述を用い、例えば、４ビット（又は、４ビットを超えない）の時間の長さを用い、その単位がミリ秒又はマイクロ秒である。この場合、他の受信ステーション又は本ステーションは、上記方式に従って対応する実際に占用されるサブフレーム又はスケジューリング単位Ａを換算する必要がある。
【０１７５】
占用するステーションについて、占用時間長の送信は２つの場面があり、１つは、占用するステーションが自ら換算した後（対応するサブフレーム境界又はスケジューリング単位Ａ境界に換算する）、送信された占用時間長を実際の占用時間長と記することである。もう１つは、占用するステーションが未換算の占用時間長を送信し、この場合、他のステーションが換算する必要がある。この場合、他のステーションは、ＣＣＡ／ｅＣＣＡを実行する場合、そのＣＣＡ／ｅＣＣＡの実行に成功したシンボル位置又はサブフレーム位置を取得する必要がある。他のステーションはＣＣＡ／ｅＣＣＡ検出により取得することができる。
【０１７６】
他のステーションが、占用するステーションから送信された占用時間長シグナリングを受信した後、他のステーションは占用期間内にリソースの多重化を行うことができ、或いは、他のステーションは占用時間長内にＣＣＡ／ｅＣＣＡ検出を実行しないようにすることができ、これにより、占用時間長が終了してからＣＣＡ／ｅＣＣＡ検出を実行してリソースを先取的に占有し、これにより、消費電力を節約し、他のステーションの設計が簡単になる。
方式２
方式２は、方式１に比べ、上記方式によるステーションデータをすべて伝送することができない問題を解消し、方式１は切り下げ方式を用いるため、ステーションのリソースが少なくなることがその理由である。方式２は、方式１に踏まえて、切り上げる場面を追加し、残った処理は方式１と同様である。
【０１７７】
ステーションによる占用時間長内に、占用時間長内のサブフレーム又はスケジューリング単位Ａにおける最後のサブフレーム又はスケジューリング単位Ａが完全でないサブフレーム又は完全でないスケジューリング単位である場合、最後のサブフレーム又はスケジューリング単位Ａの全時間長が占用時間長内に含まれ、且つ占用時間長が規制又はプロトコルで規定された最大時間長を超えていなければ、ステーションが最後のサブフレーム又はスケジューリング単位Ａの全時間長を占用し使用する（即ち、最後のサブフレーム又はスケジューリング単位Ａがすべて占用時間長内に含まれる）。
【０１７８】
残った処理方式は、衝突しない限り、方式１の処理方式を用いるか、類似した処理で実行される。
方式３
ステーションによる占用時間長を時間量で記述する場合について、
ステーションがＣＣＡ及び／又はｅＣＣＡを実行することに成功した後、ステーションの宣言した占用時間長が時間量である場合、或いは、ステーションの宣言した占用時間長が一定の時間の長さである場合（例えば、毎回占用する時間はいずれも一定の時間長である）、或いは、ステーションの宣言した占用時間長が設定した時間の長さである場合、ステーションが実際に占用する時間長は、最初のサブフレーム又はスケジューリング単位Ａの実際の占用時間長を除いた残余の占用時間長を、サブフレームの時間長又はスケジューリング単位Ａの時間長で割り、得られた数値を切り下げるか切り上げて、実際の占用時間長が対応するサブフレーム又はスケジューリング単位を取得するように得られる。
【０１７９】
切り上げた後、実際の占用時間長が規制又はプロトコルで規定された最大時間長を超えていなければ、ステーションは切り上げを行う。切り上げた後、実際の占用時間長が規制又はプロトコルで規定された最大時間長を超えていれば、ステーションは切り下げを行う。
【０１８０】
宣言された占用時間長が一定の時間の長さであるとは、プロトコル又は規制で規定されたステーションの毎回占用する時間長が一定の時間の長さであることを意味し、宣言されたのが設定した時間の長さであるとは、ステーションの毎回占用する時間長が準静的又は動的に設定されたものであることを意味する。
【０１８１】
ステーションの宣言した占用時間長内に、他のステーションに比べ、本ステーションは対応するサブフレームを優先的に使用してデータ伝送又はデータ受信を行う。他のステーションは、低優先度の取得使用権を有し使用する。ステーションの宣言した時間長内に、実際に占用していない時間長が対応するサブフレーム又はスケジューリング単位に対して、或いは、実際に占用する時間長が対応するサブフレーム又はスケジューリング単位に対して、他のステーションが使用したい場合、ＣＣＡ／ｅＣＣＡを実行して先取占用競争を行う必要があり、成功しなければ使用することができない。或いは、他のステーションが使用したい場合、本ステーションがその使用を許可していれば、ＣＣＡ／ｅＣＣＡによる先取占用競争を行わない。或いは、他のステーションが周波数分割多重化を許可されていれば、他のステーションは、周波数分割多重化を予定する周波数帯域にてＣＣＡ／ｅＣＣＡ検出を実行して先取占用競争を行って使用すればよい。或いは、他のステーションが周波数再利用を許可される場合、他のステーションはＣＣＡ／ｅＣＣＡによる先取占用競争を行う必要がない。
【０１８２】
残った処理方式は、衝突しない限り、方式１又は方式２の処理方式を用いるか、類似した処理で実行される。
方式４
ステーションがＣＣＡ及び／又はｅＣＣＡを実行することに成功した後、ステーションの宣言した占用時間長内に、ステーションは、アンライセンスキャリアに対して優先的な使用権を有し、或いは、ステーションは他のステーションによる使用を許可することができる。他のステーションは、宣言された占用時間長内にＣＣＡ／ｅＣＣＡを実行することで使用権を取得し、他のステーションが使用権を取得した後、該アンライセンスキャリアを使用する。
【０１８３】
他のステーションが使用権を取得した後、該アンライセンスキャリアを使用する場合、他のステーションの取得した使用権は、宣言された占用時間長内のみに有効である。
【０１８４】
他のステーションが使用権を取得した後、該アンライセンスキャリアを使用する場合、他のステーションの取得した使用権は、１つのサブフレーム又は１つのスケジューリング単位内のみに有効である。
【０１８５】
ステーションの宣言した占用時間長内に、ステーションが使用しないサブフレーム又はスケジューリング単位は他のステーションに使用される場合、ステーションがサブフレーム又はスケジューリング単位を再使用する必要があれば、ステーションはＣＣＡ／ｅＣＣＡを実行する必要がなく、直接使用する。
【０１８６】
ステーションの宣言した占用時間長内に、ステーションは、他のステーションとの間でアンライセンスキャリアの周波数分割多重化又は時分割多重化又は空間分割多重化又は符号分割多重化を行うことを許可することができる。周波数分割多重化を行う場合、他のステーションは、多重化される周波数リソースにてまずＣＣＡ／ｅＣＣＡを実行し、成功した後多重化を行う。
【０１８７】
残った処理方式は、衝突しない限り、方式１又は方式２又は方式３の処理方式を用いるか、類似した処理で実行される。
【０１８８】
方式１，２，３，４は、衝突しない限り、組み合わせて使用されてもよい。
【０１８９】
以下、具体的な実施例を結合して本発明を説明する。
実施例１
占用時間長の起点は、ＣＣＡ／ｅＣＣＡの実行に成功したサブフレームの起点である場合、
ＬＡＡステーションは、占用時間長の起点がＣＣＡ／ｅＣＣＡの実行に成功したサブフレームの起点であると約束する。ステーションがアンライセンスキャリアを占用した後、ステーションは、ＣＣＡ／ｅＣＣＡの実行に成功したサブフレームがある開始位置を占用時間長の起点としてステーションの負荷が占用すべき時間長を決定する。
【０１９０】
例えば、ステーションがＣＣＡ／ｅＣＣＡ検出を実行し始めるサブフレームは、サブフレーム０であり、サブフレーム１になっていなければ、ステーションはＣＣＡ／ｅＣＣＡを実行することに成功しない（即ち、ステーションは約束した規則によってアンライセンスキャリアの使用権を取得する）。この場合、ステーションは、サブフレーム１の起点を占用時間長の起点として占用時間長を決定する必要がある。
【０１９１】
他のステーションが該ステーションによる占用時間長のシグナリングを受信し解析し、シグナリングで記述される占用時間長に基づいて、該ステーションによる占用時間長が終了するサブフレーム又はＯＦＤＭシンボルの位置を決定する。該ステーションによる占用が終了した後、他のステーションは、ＣＣＡ／ｅＣＣＡを実行してリソースを先取的に占用することを許可される。
実施例２
占用時間長の起点は、ＣＣＡ／ｅＣＣＡの実行に成功したタイミングである場合、
ＬＡＡステーションは、占用時間長の起点がＣＣＡ／ｅＣＣＡの実行に成功したタイミングであると約束する。ステーションがアンライセンスキャリアを占用した後、ステーションは、ＣＣＡ／ｅＣＣＡの実行に成功したタイミングを占用時間長の起点としてステーションの負荷が占用すべき時間長を決定する。
【０１９２】
例えば、ステーションがＣＣＡ／ｅＣＣＡ検出を実行し始めるサブフレームは、サブフレーム０であり、サブフレーム１におけるあるタイミングになっていなければ、ステーションはＣＣＡ／ｅＣＣＡを実行することに成功しない（即ち、ステーションは約束した規則によってアンライセンスキャリアの使用権を取得する）。この場合、ステーションは、サブフレーム１における該タイミングを占用時間長の起点として占用時間長を決定する必要がある。
【０１９３】
他のステーションが該ステーションによる占用時間長のシグナリングを受信し解析し、シグナリングで記述される占用時間長に基づいて、該ステーションによる占用時間長が終了するサブフレーム又はＯＦＤＭシンボルの位置を決定する。該ステーションによる占用が終了した後、他のステーションは、ＣＣＡ／ｅＣＣＡを実行してリソースを先取的に占用することを許可される。
実施例３
先取占用に成功したステーションは、占用時間長のシグナリングを送信し、シグナリングの設計は２段階のレベル分けを行うことができる。
【０１９４】
ステーションは、リソースを先取的に占用することに成功した後、占用時間長のシグナリングを確認し、サブフレームのレベル及びシンボルのレベルを記述する対応するシグナリングを生成して送信する。
【０１９５】
サブフレームレベルのシグナリングパラメータは、現在のサブフレームの後にどれぐらいのサブフレームが占用されるか（現在のサブフレームを含まない）を記述するものであり、現在のサブフレームは、占用時間長のシグナリングを送信又は受信したものである。
【０１９６】
シンボルレベルのシグナリングパラメータは、サブフレームレベルのシグナリングで記述される最後のサブフレームにおける先頭からのどれぐらいのＯＦＤＭシンボルが占用されるかを記述するものである。
【０１９７】
本実施例において、アンライセンスキャリアを占用するステーションは、占用時間長のシグナリングを形成する際に、一回で占用する最大時間長が規制又はプロトコルで規定された最大時間長を超えないように保証する必要がある。
【０１９８】
シンボルレベルのシグナリングは、オプションであるシグナリングとして送信されることができ、ステーションが占用する最後のサブフレームは、完全なサブフレームである場合、シンボルレベルのシグナリングを送信しない。同様に、他のステーションが受信したシグナリングにシンボルレベルのパラメータがない場合、占用時間長内の最後のものが完全なサブフレームと認められる。
実施例４
占用時間長内のステーションが優先権を有すること、及びステーションと他のステーションとがリソースの多重化を行うことについて、
アンライセンスキャリアを先取的に占用することに成功したステーションは、占用時間長シグナリングを送信し、該シグナリングで、該ステーションの宣言した占用時間長を記述し、該占用時間長内のステーションは、リソースを優先的に使用する権利を持つ。
【０１９９】
例えば、ステーション１はＣＣＡ／ｅＣＣＡを実行して先取占用に成功した後、ステーション１は、宣言した占用時間長のシグナリングを送信し、ステーション１は、他のステーションが周波数分割多重化方式により宣言した占用時間長内のリソースを使用することを許可する場合、他のステーションは、使用予定の周波数リソースにて対応するＣＣＡ／ｅＣＣＡ検出を実行することで、使用権を取得し使用する必要がある。
【０２００】
ステーション１は、他のステーションが時分割多重化方式により宣言した占用時間長内のリソースを使用することを許可する場合、他のステーションは、ＣＣＡ／ｅＣＣＡを実行することで、アンライセンスキャリアのリソースを先取的に占用して使用する必要がある。且つそれぞれのスケジューリング単位又はサブフレームは、ＣＣＡ／ｅＣＣＡを実行することに成功していなければ、使用することができない。例えば、ＣＣＡ検出を単回実行すればよい。
【０２０１】
ステーション１は、他のステーションが符号分割多重化及び空間分割多重化方式により宣言した占用時間長内のリソースを使用することを許可する場合、他のステーションは、必要なＣＣＡ／ｅＣＣＡを実行してから使用してもよいし、直接使用してもよい。必要なＣＣＡ／ｅＣＣＡとは、他のステーションがＣＣＡ／ｅＣＣＡを実行する際に、チャネルが使用中であると検出され、且つチャネルが使用中であるのは、ステーション１が信号を送信したことによるものであれば、この場合、他のステーションは、依然として空きチャネルとして処理されることを意味する。
【０２０２】
上記実施例により、ＬＴＥシステムにおけるアンライセンスキャリアの占用を実現することができ、関連技術におけるＬＴＥ物理チャネルシグナリングを最大限に活用し、ＬＴＥシステムへの影響を最小化する。
【０２０３】
なお、上記各モジュールはソフトウェア又はハードウェアによって実現されることができ、後者の場合、以下の方式で実現されることができるが、これには限定されない。上記モジュールは、すべて同一のプロセッサに位置するか、それぞれ複数のプロセッサに位置する。
【０２０４】
本発明の実施例において記憶媒体がさらに提供される。オプションとして、本実施例において、上記記憶媒体は、以下のステップＳ１〜Ｓ２を実行するためのプログラムコードを記憶するように構成されてもよい。
【０２０５】
Ｓ１：ステーションが空きチャネル評価ＣＣＡ及び／又は拡張空きチャネル評価ｅＣＣＡを実行する。
【０２０６】
Ｓ２：該ステーションがアンライセンスキャリアを所定の粒状度で占用する、及び／又は、アンライセンスキャリアを宣言された時間長で占用する。
【０２０７】
オプションとして、本実施例において、上記記憶媒体は、Ｕディスク、リードオンリーディスク（Read-Only Memory、単にＲＯＭという）、ランダムアクセスメモリ（Random Access Memory、単にＲＡＭという）、携帯型ハードディスク、磁気ディスク又は光ディスク等、プログラムコードを記憶可能な様々な媒体を含むことができるが、これには限定されない。
【０２０８】
オプションとして、本実施例における具体例は、上述の実施例および代替的な実施形態に説明される例を参照することができるが、本実施例においてここではその説明を省略する。
【０２０９】
上述の本発明のモジュール又はステップは汎用の計算装置によって実現されることができ、単独の計算装置に集成させることができれば、複数の計算装置から構成されるネットワークに分布させることもでき、オプションとして、計算装置で実行可能なプログラムコードによって実現してもよいので、それらを記憶装置に格納して計算装置によって実行することができ、そして場合によって、示した又は説明したステップを上述と異なる手順で実行することができ、それぞれ集積回路モジュールに製作したり、これらのうち複数のモジュール又はステップを単独の集積回路モジュールに製作したりして実現することができるのは、当業者にとって明らかである。このように、本発明は、如何なる特定したハードウェアとソフトウェアの結合には限定されない。
【０２１０】
以上は、本発明の代替的な実施例に過ぎず、本発明を限定することは意図していない。当業者にとって、本発明に様々な変更や変形が可能である。本発明の思想や原則内の如何なる修正、均等の置き換え、改良なども、本発明の保護範囲内に含まれるべきである。
【産業上の利用可能性】
【０２１１】
上記技術案により、アンライセンスキャリアの占用を実現する。
【図１】
2018516010.tif 000003
【図２】
2018516010.tif 000004
【図３】
2018516010.tif 000005
【図４】
2018516010.tif 000006
【図５】
2018516010.tif 000007
【図６】
2018516010.tif 000008
【図７】
2018516010.tif 000009
【図８】
2018516010.tif 000010
【手続補正書】
【提出日】平成30年1月24日(2018.1.24)
【手続補正１】
【補正対象書類名】特許請求の範囲
【補正対象項目名】全文
【補正方法】変更
【補正の内容】
【特許請求の範囲】
【請求項１】
ステーションが空きチャネル評価ＣＣＡ及び／又は拡張空きチャネル評価ｅＣＣＡを実行することと、
前記ステーションがアンライセンスキャリアを所定の粒状度で占用することと、
前記ステーションが、前記アンライセンスキャリアを占用する時間長に基づいて、シグナリングを構成して送信することと、を含み、
前記シグナリングは、前記ステーションが前記アンライセンスキャリアを占用する時間長内の最後のサブフレームにおける占用される直交周波数分割多重化ＯＦＤＭシンボルに対する記述を含む
アンライセンスキャリアの処理方法。
【請求項２】
前記ステーションが前記アンライセンスキャリアを所定の粒状度で占用することは、
前記ステーションが、サブフレームを粒状度として前記アンライセンスキャリアを占用することと、
前記ステーションが、長期的進化ＬＴＥのタイムスロットと、１つ又は複数の直交周波数分割多重化ＯＦＤＭシンボルとのうち少なくとも一方を含むスケジューリング単位を粒状度として前記アンライセンスキャリアを占用することと、のうち少なくとも一方を含む
請求項１に記載の方法。
【請求項３】
前記ステーションが前記シグナリングを送信することは、
前記ステーションが前記アンライセンスキャリアの時間長内の１つ又は複数のサブフレームを用いて前記シグナリングを送信すること、及び／又は、
前記ステーションが前記アンライセンスキャリアの時間長内のそれぞれのサブフレームにおいて前記シグナリングを送信すること、を含む
請求項１又は２に記載の方法。
【請求項４】
前記ステーションが前記シグナリングを送信することは、
前記ステーションが前記アンライセンスキャリアの時間長内のサブフレームにて約束したリソース位置で共通の無線ネットワーク一時識別子ＲＮＴＩの補助により、前記シグナリングを送信することを含む
請求項３に記載の方法。
【請求項５】
前記ステーションが前記シグナリングを送信することは、
前記ステーションが、前記アンライセンスキャリアの時間長内のサブフレームにおいて、物理下り制御チャネルＰＤＣＣＨ又は拡張物理下り制御チャネルｅＰＤＣＣＨの共通探索領域を用いて前記シグナリングを送信することを含む
請求項４に記載の方法。
【請求項６】
前記アンライセンスキャリアの時間長内のサブフレームのうち最後のサブフレームが完全なサブフレームである場合、前記シグナリングで、前記最後のサブフレームのすべてのＯＦＤＭシンボルが占用されることを記述すること、をさらに含み、
又は、
前記アンライセンスキャリアの時間長内のサブフレームが上りサブフレーム、下りサブフレームを含む場合、前記ステーションの占用するサブフレームは、下りサブフレームのみを含むか、又は、上りサブフレームのみを含むか、又は、上りサブフレーム及び下りサブフレームの双方を含み、
又は、
前記アンライセンスキャリアの時間長内のサブフレームのうち最後のサブフレームが完全でないサブフレームである場合、前記シグナリングで、前記最後のサブフレームにおける占用されるＯＦＤＭシンボルを記述する
請求項１又は２に記載の方法。
【請求項７】
ステーションから送信された、アンライセンスキャリアを占用する時間長のシグナリングを受信し解析することと、
解析された前記シグナリングに基づいて、前記時間長内の最後のサブフレームにおける占用される直交周波数分割多重化ＯＦＤＭシンボルを決定することと、を含み、
前記シグナリングは、前記ステーションが前記アンライセンスキャリアを占用する時間長内の最後のサブフレームにおける占用されるＯＦＤＭシンボルに対する記述を含む
アンライセンスキャリアの処理方法。
【請求項８】
ステーションが空きチャネル評価ＣＣＡ及び／又は拡張空きチャネル評価ｅＣＣＡを実行することと、
前記ステーションがアンライセンスキャリアを所定の粒状度で占用する、及び／又は、アンライセンスキャリアを宣言された時間長で占用することと、
を含むアンライセンスキャリアの処理方法。
【請求項９】
前記ステーションが前記アンライセンスキャリアを所定の粒状度で占用することは、
前記ステーションが、サブフレームを粒状度として前記アンライセンスキャリアを占用することと、
前記ステーションが、長期的進化ＬＴＥのタイムスロットと、１つ又は複数の直交周波数分割多重化ＯＦＤＭシンボルとのうち少なくとも一方を含むスケジューリング単位を粒状度として前記アンライセンスキャリアを占用することと、のうち少なくとも一方を含み、
又は、
前記ステーションがＣＣＡ及び／又はｅＣＣＡを実行することは、前記ステーションが、前記ＣＣＡ及び／又はｅＣＣＡを実行されるサブフレームにおける先頭からの所定数のＯＦＤＭシンボルにおいて前記ＣＣＡ及び／又はｅＣＣＡを実行し、
又は、
前記ステーションは、前記アンライセンスキャリアを占用する時に、他のステーションが前記ステーションとの間で周波数分割多重化、時分割多重化、空間分割多重化、符号分割多重化のうち少なくとも一方を含む多重化方式で前記アンライセンスキャリア上のリソースを使用することを許可し、或いは、前記ステーションは、前記他のステーションが単独で前記アンライセンスキャリア上のリソースを使用することを許可し、前記他のステーションが前記多重化方式で前記アンライセンスキャリア上のリソースを使用する場合、前記他のステーションは、まず最初にＣＣＡ及び／又はｅＣＣＡを実行する必要があり、前記ＣＣＡ及び／又はｅＣＣＡを実行することに成功してから、リソースの多重化を行うこと、をさらに含み、
前記他のステーションが前記ＣＣＡ及び／又はｅＣＣＡを実行することは、前記他のステーションが、約束した周波数リソースパターンに従って前記ＣＣＡ及び／又はｅＣＣＡを実行することを含み、前記約束した周波数リソースパターンは、約束した物理リソースブロックＰＲＢ、約束したリソース単位ＲＥ、約束したサブキャリアのうち少なくとも一方を含む
請求項８に記載の方法。
【請求項１０】
前記ステーションがアンライセンスキャリアを占用する場合、
前記ステーションが、占用されるべき前記アンライセンスキャリアの時間長を決定することをさらに含み、
前記アンライセンスキャリアの時間長の終了タイミングは、所定のサブフレーム及び／又はスケジューリング単位の終了境界タイミングである
請求項８に記載の方法。
【請求項１１】
前記ステーションが、占用されるべき前記アンライセンスキャリアの時間長を決定することは、
前記アンライセンスキャリアの時間長内のサブフレームのうち最後のサブフレームが完全でないサブフレームである場合、前記ステーションが、前記アンライセンスキャリアの時間長内の最後のサブフレームを削除するか使用しないと決定することと、
前記アンライセンスキャリアの時間長内における最初のサブフレームは完全でないサブフレームであることができ、それ以外のサブフレームはいずれも完全なサブフレームであることと、
前記アンライセンスキャリアの時間長内のスケジューリング単位のうち最後のサブフレームが完全でないスケジューリング単位である場合、前記ステーションが、前記アンライセンスキャリアの時間長内の最後のスケジューリング単位を削除するか使用しないと決定することと、
前記アンライセンスキャリアの時間長内における最初のスケジューリング単位は完全でないスケジューリング単位であることができ、それ以外のサブフレームはいずれも完全なスケジューリング単位であることと、
前記アンライセンスキャリアの時間長内のサブフレームのうち最後のサブフレームが完全でないサブフレームである場合、前記最後のサブフレームの全時間長が前記アンライセンスキャリアの時間長内に含まれており、且つ前記アンライセンスキャリアの時間長が、規制又はプロトコルで規定された最大時間長を超えていなければ、前記ステーションが、最後のサブフレームの全時間長を含むすべてのサブフレームの時間長を占用し使用すると決定することと、
前記アンライセンスキャリアの時間長内のスケジューリング単位のうち最後のスケジューリング単位が完全でないスケジューリング単位である場合、最後のスケジューリング単位の全時間長が前記時間長内に含まれており、且つ前記アンライセンスキャリアの時間長が、規制又はプロトコルで規定された最大時間長を超えていなければ、前記ステーションが、最後のスケジューリング単位の全時間長を含むすべてのスケジューリング単位の時間長を占用し使用すると決定することと、のうち少なくとも一方を含む
請求項１０に記載の方法。
【請求項１２】
前記宣言された時間長が、時間量、一定の時間の長さ、予め設定された時間の長さのうち少なくとも一方である場合、前記宣言された時間長は、
前記宣言された時間長の最初のサブフレーム又は最初のスケジューリング単位の実際の占用時間長を除いた残余の占用時間長を、サブフレームの時間長又はスケジューリング単位の時間長で割って商が得られ、得られた商を切り下げるか切り上げることで得た実際の占用時間長が対応するサブフレーム又はスケジューリング単位、を含み、
前記実際の占用時間長が対応するサブフレーム又はスケジューリング単位を取得することは、
得られた前記商を切り上げた後、実際の占用時間長が、規制又はプロトコルで規定された最大時間長を超えていなければ、前記ステーションが前記宣言された時間長を切り上げることにより決定することと、
得られた前記商を切り上げた後、実際の占用時間長が、規制又はプロトコルで規定された最大時間長を超えていれば、前記ステーションが前記宣言された時間長を切り下げることにより決定することと、のうち少なくとも一方を含み、
又は、
前記時間量は、前記ステーションが、前記アンライセンスキャリアを占用する時間長を記述するシグナリングに含ませた、前記アンライセンスキャリアの時間長の数値を含み、前記数値は、時間単位を次元とする時間量であり、
又は、
前記一定の時間の長さは、プロトコル及び／又は規制で規定された、前記ステーションがアンライセンスキャリアを占用するたびの宣言された時間長を含み、
又は、
前記予め設定された時間の長さは、準静的に設定された時間の長さ及び／又は動的に設定された時間の長さを含む
請求項８に記載の方法。
【請求項１３】
前記ステーションが前記アンライセンスキャリアを占用する場合、前記ステーションは、前記アンライセンスキャリアについて優先的な使用権を有することと、
前記ステーションが前記アンライセンスキャリアを占用する場合、前記ステーションは、他のステーションが前記アンライセンスキャリアを使用することを許可することができ、前記他のステーションが前記アンライセンスキャリアを使用する必要がある場合、前記他のステーションは、前記ステーションが前記アンライセンスキャリアを占用する時間長内に、ＣＣＡ及び／又はｅＣＣＡを実行することで、前記アンライセンスキャリアの使用権を取得することと、
前記他のステーションが前記ステーションによる占用時間長内に実行するＣＣＡ及び／又はｅＣＣＡは、前記ステーションが当該アンライセンスキャリアを先取的に占有するＣＣＡ及び／又はｅＣＣＡよりも先取占有確率が高い高優先度のＣＣＡ及び／又はｅＣＣＡであることと、のうち少なくとも一方をさらに含み、
前記他のステーションが取得した前記アンライセンスキャリアの使用権は、前記ステーションが前記アンライセンスキャリアを占用する時間長内に有効であり、
前記ステーションが前記アンライセンスキャリアを占用する時間長内に有効であることは、
前記ステーションが前記アンライセンスキャリアを占用する時間長内における１つ又は複数のサブフレームにて有効であること、又は、前記ステーションが前記アンライセンスキャリアを占用する時間長内における１つ又は複数のスケジューリング単位にて有効であることを含み、
又は、
前記ステーションが前記アンライセンスキャリアを占用し、且つ前記ステーションが使用しないサブフレーム及び／又はスケジューリング単位は、前記他のステーションに使用される場合、前記ステーションが前記サブフレーム及び／又はスケジューリング単位を再使用する必要があれば、前記ステーションは、前記ＣＣＡ及び／又はｅＣＣＡを実行する必要がなく、直接前記サブフレーム及び／又はスケジューリング単位を使用すること、をさらに含む
請求項８に記載の方法。
【請求項１４】
前記アンライセンスキャリアを占有する時間長の時間長パラメータは、
前記ステーションがＣＣＡ及び／又はｅＣＣＡを実行することに成功したサブフレームから連続する占用されるサブフレームと、その中、前記ＣＣＡ及び／又はｅＣＣＡの実行に成功したサブフレームは、前記アンライセンスキャリアの時間長に含まれるか含まれず、
前記ステーションがＣＣＡ及び／又はｅＣＣＡを実行することに成功したスケジューリング単位から連続する占用されるスケジューリング単位と、その中、前記ＣＣＡ及び／又はｅＣＣＡの実行に成功したスケジューリング単位は、前記アンライセンスキャリアの時間長に含まれるか含まれない、
前記ステーションが決定した、ＣＣＡ及び／又はｅＣＣＡの実行に成功したＯＦＤＭシンボルから占用されるＯＦＤＭシンボルと、
前記ステーションが決定した、現在サブフレームに対して残存する占用されるべきサブフレームと、
前記ステーションが決定した、現在スケジューリング単位に対して残存する占用されるべきスケジューリング単位と、
前記ステーションが決定した、現在ＯＦＤＭシンボルに対して残存する占用されるべきＯＦＤＭシンボルと、
前記ステーションが決定した、現在サブフレームに対してその後のアンライセンスキャリアを占用する時間長内の最後のサブフレームのサブフレーム番号と、
前記ステーションが決定した、現在スケジューリング単位に対してその後のアンライセンスキャリアを占用する時間長内の最後のスケジューリング単位の番号と、のうち少なくとも一方を含む  
請求項１０に記載の方法。
【請求項１５】
前記時間長パラメータは、前記ステーションがＣＣＡ及び／又はｅＣＣＡを実行することに成功したサブフレームから連続する占用されるサブフレームを含む場合、前記時間長パラメータは、前記連続する占用されるサブフレームのうち最後のサブフレームにおける占用されるＯＦＤＭシンボルをさらに含むことと、
前記時間長パラメータは、前記ステーションがＣＣＡ及び／又はｅＣＣＡを実行することに成功したスケジューリング単位から連続する占用されるスケジューリング単位を含む場合、前記時間長パラメータは、前記連続する占用されるスケジューリング単位のうち最後のスケジューリング単位における占用されるＯＦＤＭシンボルをさらに含むことと、
前記時間長パラメータは、前記ステーションが決定した、現在サブフレームに対して残存する占用されるべきサブフレームを含む場合、前記時間長パラメータは、前記残存する占用されるべきサブフレームのうち最後のサブフレームにおける占用されるＯＦＤＭシンボルをさらに含むことと、
前記時間長パラメータは、前記ステーションが決定した、現在スケジューリング単位に対して残存する占用されるべきスケジューリング単位を含む場合、前記時間長パラメータは、前記残存する占用されるべきスケジューリング単位のうち最後のスケジューリング単位における占用されるＯＦＤＭシンボルをさらに含むことと、
前記時間長パラメータは、前記ステーションが決定した、現在サブフレームに対してその後のアンライセンスキャリアを占用する時間長内の最後のサブフレームのサブフレーム番号を含む場合、前記時間長パラメータは、前記最後のサブフレームにおける占用されるＯＦＤＭシンボルをさらに含むことと、
前記時間長パラメータは、前記ステーションが決定した、現在スケジューリング単位に対してその後のアンライセンスキャリアを占用する時間長内の最後のスケジューリング単位の番号を含む場合、前記時間長パラメータは、前記最後のスケジューリング単位における占用されるＯＦＤＭシンボルをさらに含むことと、のうち少なくとも一方をさらに含み、
又は、
前記ＣＣＡ及び／又はｅＣＣＡの実行に成功したサブフレーム及び／又はスケジューリング単位が、前記時間長に含まれる場合、
前記ＣＣＡ及び／又はｅＣＣＡの実行に成功したサブフレーム及び／又はスケジューリング単位全体を１つのサブフレーム又はスケジューリング単位として、前記アンライセンスキャリアの時間長内の算定対象とすること、及び／又は、
前記ＣＣＡ及び／又はｅＣＣＡの実行に成功したサブフレーム及び／又はスケジューリング単位のうち、前記ＣＣＡ及び／又はｅＣＣＡを実行するタイミングから当該サブフレーム又はスケジューリング単位が終了するまでのサブフレーム又はスケジューリング単位を、前記アンライセンスキャリアの時間長内の算定対象とすること、をさらに含む
請求項１４に記載の方法。
【請求項１６】
前記ステーションが、前記アンライセンスキャリアの時間長内の最後のサブフレームを削除するか使用しないと決定する、及び／又は、前記ステーションが、前記アンライセンスキャリアの時間長内の最後のスケジューリング単位を削除するか使用しないと決定する場合、前記ＣＣＡ及び／又はｅＣＣＡを実行することは、
前記ステーション又は前記他のステーションが、前記最後のサブフレーム及び／又は最後のスケジューリング単位において前記ＣＣＡ及び／又はｅＣＣＡを実行すること、及び／又は、
前記ステーションから許可を得たステーションが、前記最後のサブフレーム及び／又は最後のスケジューリング単位において前記ＣＣＡ及び／又はｅＣＣＡを実行すること、を含み、
又は、
前記ステーションが、前記アンライセンスキャリアの時間長内の最後のサブフレームを削除するか使用しないと決定する、及び／又は、前記ステーションが、前記アンライセンスキャリアの時間長内の最後のスケジューリング単位を削除するか使用しないと決定する場合、
前記ステーションが、前記最後のサブフレーム及び／又は最後のスケジューリング単位を用いたデータ送信を行わないこと、をさらに含む
請求項１１に記載の方法。
【請求項１７】
前記ステーションがアンライセンスキャリアを所定の粒状度で占用する、及び／又は、前記アンライセンスキャリアを宣言された時間長で占用した後、
前記ステーションが、前記アンライセンスキャリアを占用する時間長を含む占用時間長シグナリングにより他のステーションに報知すること、をさらに含み、
前記ステーションが前記占用時間長シグナリングを前記他のステーションに報知することは、
前記ステーションが、前記ＣＣＡ及び／又はｅＣＣＡの実行に成功したサブフレームを用いて前記占用時間長シグナリングを送信することと、
前記ステーションが、前記ＣＣＡ及び／又はｅＣＣＡの実行に成功したスケジューリング単位を用いて前記占用時間長シグナリングを送信することと、
前記ステーションが、予め約束した、前記ＣＣＡ及び／又はｅＣＣＡの実行に成功したサブフレームの次のサブフレームを用いて前記占用時間長シグナリングを送信することと、
前記ステーションが、予め約束した、前記ＣＣＡ及び／又はｅＣＣＡの実行に成功したスケジューリング単位の次のスケジューリング単位を用いて前記占用時間長シグナリングを送信することと、
前記ステーションが、前記アンライセンスキャリアの時間長におけるそれぞれのサブフレームを用いて前記占用時間長シグナリングを送信することと、
前記ステーションが、前記アンライセンスキャリアの時間長におけるそれぞれのスケジューリング単位を用いて前記占用時間長シグナリングを送信することと、のうち少なくとも一方により行われ、
前記ステーションが、前記アンライセンスキャリアの時間長におけるそれぞれのサブフレームを用いて前記占用時間長シグナリングを送信することは、
前記ステーションが、前記それぞれのサブフレームにて約束したリソース位置を用いて、共通の無線ネットワーク一時識別子ＲＮＴＩの補助により、前記占用時間長シグナリングを送信することを含む
請求項８に記載の方法。
【請求項１８】
前記ステーションが、前記ＣＣＡ及び／又はｅＣＣＡを実行した後、
信号エネルギーが存在しない物理リソースブロックＰＲＢの周波数領域と、
信号エネルギーが存在しないリソースユニットＲＥの周波数領域と、
信号エネルギーが存在しないサブキャリアの周波数領域と、のうち少なくとも一方の周波数帯域リソースを決定すること、をさらに含み、
前記ステーションが、前記周波数領域リソースを決定した後、
信号エネルギーが存在しない前記周波数領域リソースのパターンに基づいて、アンライセンスキャリアを占用するステーションの属性を決定することをさらに含み、前記ステーションの属性は、ステーションの所属する事業者情報と、ステーションが周波数再使用及び／又は多重化をサポートするか否かと、のうち少なくとも一方を含む
請求項８に記載の方法。
【請求項１９】
前記ステーションが、前記ＣＣＡ及び／又はｅＣＣＡを実行した後、
信号エネルギーが存在する物理リソースブロックＰＲＢの周波数領域と、
信号エネルギーが存在するリソースユニットＲＥの周波数領域と、
信号エネルギーが存在するサブキャリアの周波数領域と、のうち少なくとも一方の周波数領域リソースを決定することをさらに含み、
前記ステーションが、前記周波数領域リソースを決定した後、
信号エネルギーが存在する前記周波数領域リソースのパターンに基づいて、アンライセンスキャリアを占用するステーションの属性を決定することをさらに含み、前記ステーションの属性は、ステーションの所属する事業者情報と、ステーションが周波数再使用及び／又は多重化をサポートするか否かと、のうち少なくとも一方を含む
請求項８に記載の方法。
【請求項２０】
ステーションに応用されるアンライセンスキャリアの処理装置であって、
空きチャネル評価ＣＣＡ及び／又は拡張空きチャネル評価ｅＣＣＡを実行する実行モジュールと、
アンライセンスキャリアを所定の粒状度で占用するキャリア占用モジュールと、
前記アンライセンスキャリアを占用する時間長に基づいて、シグナリングを構成して送信する送信モジュールと、を備え、
前記シグナリングは、前記ステーションが前記アンライセンスキャリアを占用する時間長内の最後のサブフレームにおける占用される直交周波数分割多重化ＯＦＤＭシンボルに対する記述を含む
アンライセンスキャリアの処理装置。
【請求項２１】
ステーションから送信された、アンライセンスキャリアを占用する時間長のシグナリングを受信し解析する受信モジュールと、
解析された前記シグナリングに基づいて、前記時間長内の最後のサブフレームにおける占用される直交周波数分割多重化ＯＦＤＭシンボルを決定する決定モジュールと、を備え、
前記シグナリングは、前記ステーションが前記アンライセンスキャリアを占用する時間長内の最後のサブフレームにおける占用されるＯＦＤＭシンボルに対する記述を含む
アンライセンスキャリアの処理装置。
【国際調査報告】
2018516010.tif 000011
2018516010.tif 000012
2018516010.tif 000013
2018516010.tif 000014